(57)【特許請求の範囲】
【請求項１】
第１基地局と第２基地局を含む異種網の無線通信システムにおける第１基地局のセル間の負荷分散方法であって、
前記第１基地局によってサービングされる複数の端末へ、第１測定報告の送信をトリガーするための第１オフセット値に関する第１情報を含む第１設定メッセージを送信する段階と、
前記第１設定メッセージに基づいて、前記複数の端末から前記第１測定報告を受信する段階と、
前記端末へ、第２測定報告の送信をトリガーするための第２オフセット値に関する第２情報を含む第２設定メッセージを送信する段階と、
前記第２設定メッセージに基づいて、前記端末から前記第２測定報告を受信する段階と、
前記第１オフセット値、前記第２オフセット値、及び前記端末の端末タイプに基づいてセル間の負荷を分散させるための予備領域を設定する段階と、
前記予備領域によって基地局間の負荷を分散させるように制御する段階と、を含み、
前記端末タイプは、
ｅＩＣＩＣ（ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）機能及びＦｅＩＣＩＣ（Ｆｕｒｔｈｅｒ  ｅＩＣＩＣ）機能をサポートしない第１タイプ端末と、ｅＩＣＩＣ機能をサポートする第２タイプ端末と、  ＦｅＩＣＩＣ機能をサポートする第３タイプ端末のうちのいずれか１つを含む
ことを特徴とする、セル間の負荷分散方法。
【請求項２】
前記端末が前記第１測定報告を送信した後、前記端末に対する干渉除去動作を行う段階と、
前記端末が前記第２測定報告を送信すると、前記端末に対する前記干渉除去動作を中止する段階と、をさらに含み、
前記第１測定報告は、前記端末が前記第１オフセット値に関連した第１境界線の外に移動すると、前記端末から送信され、
前記第２測定報告は、前記端末が前記第２オフセット値に関連した第２境界線の中に移動すると、前記端末から送信される
ことを特徴とする、請求項１に記載のセル間の負荷分散方法。
【請求項３】
少なくとも一つの端末の強制ハンドオーバーの要否を判定する段階と、
強制ハンドオーバー必要時、前記少なくとも一つの端末を第２基地局へハンドオーバーさせる段階と、をさらに含み、
前記少なくとも一つの端末は、前記第１境界線の外に位置する
ことを特徴とする、請求項２に記載のセル間の負荷分散方法。
【請求項４】
前記判定段階は、
セル間の干渉制御機能の活性化、セル間の干渉制御パートナーセルの存在、現在適用中のＡＢＳ（Ａｌｍｏｓｔ  Ｂｌａｎｋ  Ｓｕｂｆｒａｍｅ）割合及びマクロセル予備領域端末の存在のうちの少なくとも一つに基づいて、前記負荷分散の要否を決定する
ことを特徴とする、請求項３に記載のセル間の負荷分散方法。
【請求項５】
前記少なくとも一つの端末へ、第３測定報告の送信をトリガーするための第３設定メッセージを送信する段階と、
前記強制ハンドオーバーのための前記少なくとも一つの端末を選択する段階と、
前記第３設定メッセージに基づいて、前記少なくとも一つの端末からの前記第３測定報告を受信する段階と、をさらに含む
ことを特徴とする、請求項３に記載のセル間の負荷分散方法。
【請求項６】
前記選択段階は、
前記第２基地局が予め設定されたしきい値以下の負荷を有する時、前記少なくとも一つの端末を選択する
ことを含むことを特徴とする、請求項５に記載のセル間の負荷分散方法。
【請求項７】
前記強制ハンドオーバーが必要ないか又は前記少なくとも一つの端末から前記第３測定報告を受信することができない場合、前記第１基地局の予備領域を動かすことができる状態であるかを決定する段階と、
前記第１基地局の予備領域を動かすことができる状態の場合、前記第１基地局と第２基地局間のハンドオーバー基準線を変更して、前記第１基地局の予備領域を前記第１基地局又は前記第２基地局の方向に移動させる段階と、をさらに含む
ことを特徴とする、請求項５に記載のセル間の負荷分散方法。
【請求項８】
前記第１基地局の予備領域を動かすことができる状態であるかを決定する段階は、
ｅＩＣＩＣ機能及びセル拡張領域（ＣＲＥ）機能が活性化状態であれば、前記第１基地局の予備領域を動かすことができる状態であると決定する
ことを特徴とする、請求項７に記載のセル間の負荷分散方法。
【請求項９】
前記ハンドオーバー基準線の変更は、
前記第１タイプ端末、前記第２タイプ端末及び前記第３タイプ端末のうちのいずれか１つのためのＡ３イベントに対するオフセット値を変更することによって変更される
ことを特徴とする、請求項７に記載のセル間の負荷分散方法。
【請求項１０】
前記第１基地局の予備領域を前記第１基地局又は第２基地局の方向に移動させる段階において、前記第３タイプ端末に対する前記ハンドオーバー基準線の移動範囲は、前記第２タイプ端末に対する前記ハンドオーバー基準線の移動範囲より広い
ことを特徴とする、請求項７に記載のセル間の負荷分散方法。
【請求項１１】
異種網の無線通信システムにおいてセル間の負荷を分散させる第１基地局であって、
前記無線通信システムの任意のノードと信号を送受信する送受信部と、
前記第１基地局がサービングする複数の端末へ、第１測定報告の送信をトリガーするための第１オフセット値に関する第１情報を含む第１設定メッセージを送信するように前記送受信部を制御し、前記第１設定メッセージに基づいて、前記複数の端末のうち端末から第１測定報告を受信するように前記送受信部を制御し、前記端末へ、第２測定報告送信をトリガーするための第２オフセット値に関連した第２情報を含む第２設定メッセージを送信するように前記送受信部を制御し、前記第２設定メッセージに基づいて、前記端末から第２測定報告を受信するように前記送受信部を制御し、
前記第１オフセット値、前記第２オフセット値、及び前記端末の端末タイプに基づいてセル間の負荷を分散させるための予備領域を設定し；前記予備領域によって基地局間の負荷を分散させるように制御する制御部と、を含み、
前記端末タイプは、
ｅＩＣＩＣ（ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）機能及びＦｅＩＣＩＣ（Ｆｕｒｔｈｅｒ  ｅＩＣＩＣ）機能をサポートしない第１タイプ端末と、ｅＩＣＩＣ機能をサポートする第２タイプ端末と、ＦｅＩＣＩＣ機能をサポートする第３タイプ端末のうちのいずれか１つを含む
ことを特徴とする、第１基地局。
【請求項１２】
前記制御部は、前記端末が前記第１測定報告を送信した後、前記端末に対する干渉除去動作を行い、前記端末が前記第２測定報告を送信すると、前記端末に対する前記干渉除去動作を中断し、
前記第１測定報告は、前記端末が前記第１オフセット値に関連した第１境界線の外に移動すると、前記端末から送信され、
前記第２測定報告は、前記端末が前記第２オフセット値に関連した第２境界線の中に移動すると、前記端末から送信される
ことを特徴とする、請求項１１に記載の第１基地局。
【請求項１３】
前記制御部は、
少なくとも一つの端末の強制ハンドオーバーの要否を決定し、強制ハンドオーバーの必要時、前記少なくとも一つの端末を第２基地局へハンドオーバーさせ、
前記少なくとも一つの端末は、前記第１境界線の外に位置する
ことを特徴とする、請求項１２に記載の第１基地局。
【請求項１４】
前記制御部は、
セル間の干渉制御機能の活性化、セル間の干渉制御パートナーセルの存在、現在適用中のＡＢＳ（Ａｌｍｏｓｔ  Ｂｌａｎｋ  Ｓｕｂｆｒａｍｅ）割合及びマクロセル予備領域端末の存在のうちの少なくとも一つに基づいて、前記強制ハンドオーバーの要否を決定する
ことを特徴とする、請求項１３に記載の第１基地局。
【請求項１５】
前記制御部は、
前記少なくとも一つの端末へ、第３測定報告の送信をトリガーするための第３設定メッセージを送信するように前記送受信部を制御し、
強制ハンドオーバーのための前記少なくとも一つの端末を選択し、
前記第３設定メッセージに基づいて、前記少なくとも一つの端末から前記第３測定報告を受信するように前記送受信部を制御する
ことを特徴とする、請求項１３に記載の第１基地局。
【請求項１６】
前記制御部は、
前記第２基地局の負荷が予め設定されたしきい値以下であれば、前記少なくとも一つの端末を選択する
ことを特徴とする、請求項１５に記載の第１基地局。
【請求項１７】
前記制御部は、
前記強制ハンドオーバーが必要ないか又は選定された端末から測定報告を受信することができない場合、前記予備領域を動かすことができる状態であるか判定し、前記予備領域を動かすことができる状態の場合、前記第１基地局と第２基地局間のハンドオーバー基準線を変更して、前記予備領域を前記第１基地局又は前記第２基地局の方向に移動させるように制御する
ことを特徴とする、請求項１５に記載の第１基地局。
【請求項１８】
前記制御部は、
ｅＩＣＩＣ機能及びセル拡張領域（ＣＲＥ）機能が活性化状態であれば、前記第１基地局の予備領域を動かすことができる状態であると判定する
ことを特徴とする、請求項１７に記載の第１基地局。
【請求項１９】
前記制御部は、
前記第１タイプ端末、前記第２タイプ端末及び前記第３タイプ端末のうちのいずれか１つに対し、前記第３設定メッセージに関連したＡ３イベントに対する第３オフセット値を変更し、前記ハンドオーバー基準線を変更するように制御する
ことを特徴とする、請求項１７に記載の第１基地局。
【請求項２０】
前記第３タイプ端末に対するハンドオーバー基準線の移動範囲が、前記第２タイプ端末に対するハンドオーバー基準線の移動範囲より広い
ことを特徴とする、請求項１７に記載の第１基地局。
【請求項２１】
第１基地局と第２基地局を含む異種網の無線通信システムにおいて測定報告を行う端末であって、
基地局と信号を送受信する送受信部と、
前記第１基地局から、第１測定報告の送信をトリガーするための第１オフセット値に関する第１情報を含む第１設定メッセージを受信するように前記送受信部を制御し、前記第１設定メッセージに基づいて、前記第１測定報告を前記第１基地局へ送信するように前記送受信部を制御し、前記第１基地局から、第２測定報告送信をトリガーするための第２オフセット値に関する第２情報を含む第２設定メッセージを受信するように前記送受信部を制御し、前記第２設定メッセージに基づいて、前記第１基地局へ前記第２測定報告を送信するように前記送受信部を制御する制御部と、を含み、
セル間の負荷を分散させるための予備領域は、前記第１オフセット値、前記第２オフセット値、及び前記端末の端末タイプに基づいて決定され、
前記端末タイプは、
ｅＩＣＩＣ（ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）機能及びＦｅＩＣＩＣ（Ｆｕｒｔｈｅｒ  ｅＩＣＩＣ）機能をサポートしない第１タイプ端末と、ｅＩＣＩＣ機能をサポートする第２タイプ端末と、ＦｅＩＣＩＣ機能をサポートする第３タイプ端末のうちのいずれか１つを含む
ことを特徴とする、端末。
【請求項２２】
前記第１測定報告を送信した後、前記第１基地局によって干渉除去動作が実行され、
前記第２測定報告を送信すると、前記第１基地局によって前記干渉除去動作が中断され、
前記第１測定報告は、前記端末が前記第１オフセット値に関連した第１境界線の外に移動すると、前記第１基地局へ送信され、
前記第２測定報告は、前記端末が前記第２オフセット値に関連した第２境界線の中に移動すると、前記第１基地局へ送信される
ことを特徴とする、請求項２１に記載の端末。
【請求項２３】
第１基地局と第２基地局を含む異種網の無線通信システムにおける端末の測定報告方法であって、
前記第１基地局から、第１測定報告の送信をトリガーするための第１オフセット値に関する第１情報を含む第１設定メッセージを受信する段階と、
前記第１設定メッセージに基づいて、前記第１測定報告を前記第１基地局へ送信する段階と、
前記第１基地局から、第２測定報告の送信をトリガーするための第２オフセット値に関する第２情報を含む第２設定メッセージを受信する段階と、
前記第２設定メッセージに基づいて、前記第１基地局へ前記第２測定報告を送信する段階と、を含み、
セル間の負荷を分散させるための予備領域は、前記第１オフセット値、前記第２オフセット値、及び前記端末の端末タイプに基づいて決定され、
前記端末タイプは、
ｅＩＣＩＣ（ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）機能及びＦｅＩＣＩＣ（Ｆｕｒｔｈｅｒ  ｅＩＣＩＣ）機能をサポートしない第１タイプ端末と、ｅＩＣＩＣ機能をサポートする第２タイプ端末と、ＦｅＩＣＩＣ機能をサポートする第３タイプ端末のうちのいずれか１つを含む
ことを特徴とする、測定報告方法。
【請求項２４】
前記第１測定報告を送信した後、前記第１基地局によって干渉除去動作が実行され、
前記第２測定報告を送信すると、前記第１基地局によって前記干渉除去動作が中断され、
前記第１測定報告は、前記端末が前記第１オフセット値に関連した第１境界線の外に移動すると送信され、
前記第２測定報告は、前記端末が前記第２オフセット値に関連した第２境界線の中に移動すると、前記第１基地局へ送信される
ことを特徴とする、請求項２３に記載の測定報告方法。
【発明の詳細な説明】
【技術分野】
【０００１】
本発明は、無線通信システムに関し、より具体的に無線通信システムにおいてセル間の負荷分散方法及び装置に関する。
【背景技術】
【０００２】
一般的に、移動通信システムはユーザの活動性を保障しながら音声サービスを提供するために開発された。しかし、移動通信システムは次第に音声のみならずデータサービスまで領域を確張しており、現在には高速のデータサービスを提供することができる程度まで発展した。しかし、現在サービスが提供されている移動通信システムにおいてはリソースの不足現象及びユーザがより高速のサービスを要求するので、より発展した移動通信システムが要求されている。
【０００３】
このような要求に応じて次世代移動通信システムで開発中である一つのシステムとして３ＧＰＰ(Ｔｈｅ ３ｒｄ Ｇｅｎｅｒａｔｉｏｎ Ｐａｒｔｎｅｒｓｈｉｐ Ｐｒｏｊｅｃｔ)でＬＴＥ(Ｌｏｎｇ Ｔｅｒｍ Ｅｖｏｌｕｔｉｏｎ)に対する規格作業が進行しつつある。ＬＴＥは最大数百Ｍｂｐｓ程度の送信速度を有する高速パケット基盤通信を具現する技術である。このために様々な方案が論議されているが、例えば、ネットワークの構造を簡単にして通信路上に位置するノードの数を減らす方案や、無線プロトコルを最大限の無線チャンネルに近接させる方案などがある。
【０００４】
特に、近年、時間領域セル間の干渉調整(Ｔｉｍｅ−Ｄｏｍａｉｎ Ｉｎｔｅｒ−ｃｅｌｌ Ｉｎｔｅｒｆｅｒｅｎｃｅ Ｃｏｏｒｄｉｎａｔｉｏｎ)のための規格化が進行されたが、これにより基地局が端末を効果的に管理する必要性が台頭された。
【０００５】
上述した情報は、ただ本明細書の理解を助けるための背景技術情報で存在する。上述したものなかのいずれも本明細書の開示と関連して先行技術として適用されることができるかに関してはどんな決定も下ろされないか、又はどんな主張も申し立てられない。
【発明の概要】
【発明が解決しようとする課題】
【０００６】
本発明は、前記のような問題点に鑑みてなされたものであり、マクロセルと小型セルが混在された異種網の移動通信システムにおいて基地局が端末を効果的に管理するための方法及び装置を提供することを目的とする。
【０００７】
より具体的に、本発明は、出力が高い基地局(ｍａｃｒｏ ｃｅｌｌ)と出力が低い基地局(ｓｍａｌｌ ｃｅｌｌ)が同一周波数を共有しながら混在する異種ネットワーク(ｈｅｔｅｒｏｇｅｎｅｏｕｓ ｎｅｔｗｏｒｋ、ＨｅｔＮｅｔ)システムにおいて、基地局間の負荷分散を介して端末の体感性能を向上させる方法及び装置を提供することをその目的とする。
【課題を解決するための手段】
【０００８】
前記のような問題点を解決するための本発明の第１基地局と第２基地局を含む異種網の無線通信システムにおいて第１基地局のセル間の負荷分散方法はセル間の負荷を分散させるために、前記第２基地局に対する第１予備領域を設定する段階と、及び前記第１予備領域によって基地局間の負荷を分散させるように制御する段階と、を含むことを特徴とする。
【０００９】
また、本発明の異種網の無線通信システムにおいてセル間の負荷を分散させる第１基地局は前記無線通信システムの任意のノードと信号を送受信する送受信部と、及びセル間の負荷を分散させるために、前記第２基地局に対する第１予備領域を設定し、前記第１予備領域によって基地局間の負荷を分散させるように制御する制御部と、を含むことを特徴とする。
【００１０】
また、本発明の第１基地局と第２基地局を含む異種網の無線通信システムにおいて測定報告を行う端末は、基地局と信号を送受信する送受信部と、及び前記第１基地局から測定報告設定メッセージを受信し、前記測定報告設定メッセージの設定によって前記第１基地局へ測定報告を送信するように制御する制御部と、を含むことを特徴とする。前記測定報告設定メッセージは第１基地局が端末の予備領域への進入又は離脱を検出するように、前記第１基地局によって設定されることができる。
【００１１】
第１基地局は端末から受信した測定報告設定メッセージによって、前記端末が第１予備領域で進入したか又は離脱したかを検出することができる。
【００１２】
そして、本発明の第１基地局と第２基地局を含む異種網の無線通信システムにおいて端末の測定報告方法は、前記第１基地局から測定報告設定メッセージを受信する段階と、及び前記測定報告設定メッセージの設定によって前記第１基地局へ測定報告を送信する段階と、を含むことを特徴とする。前記測定報告設定メッセージは第１基地局が端末の予備領域への進入又は離脱を検出するように、前記第１基地局によって設定されることができる。
【００１３】
第１基地局は端末から受信した測定報告設定メッセージによって、前記端末が予備領域で進入したか又は離脱したかを検出することができる。
【発明の効果】
【００１４】
本発明によれば、マクロ基地局と小型基地局が混在された異種網の移動通信システムにおいてセル間の負荷分散方法及びセル間の干渉調整方法を提供して網の無線リソース効率を増大させることができる。また、本発明によれば、セル間の負荷分散方法及びセル間の干渉調整方法を提供するにあたり網の負荷分散状態を適応的に反映することができる。
【図面の簡単な説明】
【００１５】
【図１】本発明の一実施形態によってｅＩＣＩＣ(ｅｎｈａｎｃｅｄ Ｉｎｔｅｒ−Ｃｅｌｌ Ｉｎｔｅｒｆｅｒｅｎｃｅ Ｃｏｏｒｄｉｎａｔｉｏｎ)技術を利用する場合、スモールセルのカバレッジ領域を示す図面である。
【図２】本発明の一実施形態によるセル領域管理方法を示す図面である。
【図３】本発明の一実施形態によるｅＩＣＩＣ ＵＥがグループ別で位置することができる領域を示す図面である。
【図４】本発明の一実施形態によるマクロセル基地局に対するブロック図である。
【図５】本発明の一実施形態によるピコセル基地局に対するブロック図である。
【図６Ａ】本発明の一実施形態によって端末をマクロセル拡張領域(ＣＲＥ)ＵＥとマクロｎｏｎ−ＣＲＥ ＵＥで区分して前記端末を管理する方法を示す図面である。
【図６Ｂ】本発明の一実施形態によって端末をマクロセル拡張領域(ＣＲＥ)ＵＥとマクロｎｏｎ−ＣＲＥ ＵＥで区分して前記端末を管理する方法を示す図面である。
【図７Ａ】本発明の一実施形態によってピコＣＲＥ ＵＥ管理部によって端末をピコＣＲＥ ＵＥ及びピコｎｏｎ−ＣＲＥ ＵＥで区分して管理する方法を示す図面である。
【図７Ｂ】本発明の一実施形態によってピコＣＲＥ ＵＥ管理部によって端末をピコＣＲＥ ＵＥ及びピコｎｏｎ−ＣＲＥ ＵＥで区分して管理する方法を示す図面である。
【図８】本発明の一実施形態によってマクロセル基地局の負荷分散判定部でＣＲＥ状態(ＣＲＥ_ｓｔａｔｕｓ)を管理するのに用いられる状態遷移ダイヤグラムを示す図面である。
【図９】本発明の一実施形態によるマクロセル基地局の負荷分散判定部でｅＩＣＩＣパートナーピコセルで負荷分散可否を決定する基準を示す図面である。
【図１０】本発明の一実施形態によるピコセル基地局の負荷分散判定部でマクロセルで負荷分散可否を決定する基準を示す図面である。
【図１１】本発明の実施形態によるマクロセル基地局及びピコセル基地局が負荷分散を行う動作を示すフローチャートである。
【図１２】本発明の実施形態によるマクロセル基地局がＦｏｒｃｅｄ ＨＯ(ｈａｎｄｏｖｅｒ)対象ＵＥを選定する方法を示すフローチャートである。
【図１３】本発明の実施形態によるピコセル基地局がＦｏｒｃｅｄ ＨＯ対象ＵＥを選定する過程を示すフローチャートである。
【図１４】本発明の一実施形態によるマクロセル基地局でｅＩＣＩＣパートナーピコセルに対するハンドオーバートリガー(ｈａｎｄｏｖｅｒ ｔｒｉｇｇｅｒ  )をマクロセルの方に移動させてピコセルのカバレッジ(ｃｏｖｅｒａｇｅ)を拡張させる方法を示すフローチャートである。
【図１５】本発明の一実施形態によるピコセル基地局でｅＩＣＩＣパートナーマクロセルに対するハンドオーバートリガー(ｈａｎｄｏｖｅｒ ｔｒｉｇｇｅｒ)をピコセルの方に移動させてピコセルのカバレッジ(ｃｏｖｅｒａｇｅ)を減少させる方法を示すフローチャートである。
【図１６】本発明の一実施形態によって各タイプの端末がグループ別で位置することができる領域を示す図面である。
【図１７】本発明の実施形態による端末に対するブロック図である。前記図面全般にわたって、同一又は類似の要素、特徴及び構造を示すために同じ記号が使用されることができる。
【発明を実施するための形態】
【００１６】
以下、添付された図面を参照して本発明の好ましい実施形態を詳細に説明する。この時、添付の図面で同一構成要素は可能な同一符号を付すことに留意すべきである。また、本発明の要旨を不明瞭にすることができる公知機能及び構成に対する詳細な説明は省略する。
【００１７】
本明細書で実施形態を説明するにあたり、本発明が属する技術分野によく知られており本発明と直接的に関連がない技術内容に対しては説明を省略する。これは不必要な説明を省略することによって本発明の要旨を明瞭にし、より明確に伝達するためである。
【００１８】
同様の理由で添付図面において一部構成要素は誇張されたり省略されたり概略的に図示された。また、各構成要素のサイズは実際サイズを全的に反映することではない。各図面で同一又は対応する構成要素には同一参照番号を付した。
【００１９】
本発明の利点及び特徴、及びそれらを達成する方法は、添付する図面と共に詳細に後述する実施形態を参照すれば明確であろう。しかし。本発明は以下で開示される実施形態で限定されるものではなく、互いに異なる多様な形態で具現されることができ、ただ本実施形態は本発明の開示が完全にし、本発明が属する技術分野で通常の知識を有する者に発明の範疇を完全に知らせるために提供されるものであり、本発明は請求項の範疇によって定義されるだけである。明細書全体にかけて同一参照符号は同一構成要素を指称する。
【００２０】
この時、処理フローチャートの各ブロックとフローチャートの図面の組合は、コンピュータープログラムインストラクションによって行われることができることを理解することができるだろう。これらコンピュータープログラムインストラクションは、汎用コンピューター、特殊用コンピューター又はその他プログラム可能なデータプロセッシング装備のプロセッサに搭載されることができるので、コンピューター又はその他プログラム可能なデータプロセッシング装備のプロセッサを介して行われるそのインストラクションが、フローチャートブロックで説明された機能を行う手段を生成するようになる。これらコンピュータープログラムインストラクションは、特定方式で機能を具現するためにコンピューター又はその他プログラム可能なデータプロセッシング装備を志向することができるコンピューター利用可能、又はコンピューター判読可能メモリーに記憶されることも可能であるので、そのコンピューター利用可能又はコンピューター判読可能メモリーに記憶されたインストラクションは、フローチャートブロックで説明された機能を行うインストラクション手段を内包する製造品目を生産することも可能である。コンピュータープログラムインストラクションは、コンピューター又はその他プログラム可能なデータプロセッシング装備上に搭載されることも可能であるので、コンピューター又はその他プログラム可能なデータプロセッシング装備上で一連の動作段階が行われ、コンピューターで実行されるプロセスを生成してコンピューター又はその他プログラム可能なデータプロセッシング装備を行うインストラクションはフローチャートブロックで説明された機能を行うための段階を提供することも可能である。
【００２１】
また、各ブロックは、特定された論理的機能を行うための１つ以上の実行可能なインストラクションを含むモジュール、セグメント又はコードの一部を示すことができる。また、幾つか代替実行例ではブロックで言及された機能が手順を外れて発生することも可能であることを注目しなければならない。例えば、接して示されている２つのブロックは、実は実質的に同時に行われることも可能で、又はそのブロックが時々該当する機能によって逆順に行われることも可能である。
【００２２】
この時、本実施形態に用いられる‘〜部’という用語は、ソフトウェア又はＦＰＧＡ、並びにＡＳＩＣのようなハードウェア構成要素を意味し、‘〜部’はどんな役目を行う。しかし、‘〜部’は、ソフトウェア又はハードウェアで限定される意味ではない。‘〜部’はアドレシングすることができる記憶媒体にあるように構成されることもでき、１つ又はその以上のプロセッサを再生させるように構成されることもできる。したがって、一例として‘〜部’はソフトウェア構成要素、客体志向ソフトウェア構成要素、クラス構成要素及びタスク構成要素のような構成要素と、プロセス、関数、属性、プロシージャ、サブルーティン、プログラムコードのセグメント、ドライバー、ファームウエア、マイクロコード、回路、データ、データベース、データ構造、テーブル、アレイ、及び変数を含む。構成要素と‘〜部’のうちで提供される機能はより小さい数の構成要素及び‘〜部’に結合されたり追加的な構成要素と‘〜部’でさらに分離することができる。だけでなく、構成要素及び‘〜部’はデバイス又は保安マルチメディアカード内の１つ又はその以上のＣＰＵを再生させるように具現されることもできる。
【００２３】
以下、出力が高い基地局(ｍａｃｒｏｃｅｌｌ)と出力が低い基地局(ｓｍａｌｌ ｃｅｌｌ)が同一周波数を共有しながら混在する異種ネットワーク(ｈｅｔｅｒｏｇｅｎｅｏｕｓ ｎｅｔｗｏｒｋ、ＨｅｔＮｅｔ)システムにおいて、基地局間の負荷分散を介して端末の体感性能を向上させる方法に対して具体的に記述する。
【００２４】
一般的に、マクロセル(ｍａｃｒｏ ｃｅｌｌ)は比較的高い出力で広い領域をカバレッジ(ｃｏｖｅｒａｇｅ)で有する。これに反してスモールセル(ｓｍａｌｌ ｃｅｌｌ)は比較的低い出力で前記マクロセルのカバレッジに比べては狭い領域のカバレッジを有するが、安価にセルを増設することができるメリットがある。
【００２５】
スモールセルは主にマクロセルでカバーされないカバレッジホール(ｃｏｖｅｒａｇｅ ｈｏｌｅ)領域を埋めるために用いられるか、マクロセルの負荷を吸収するために用いられる。しかし、スモールセルはカバレッジが狭いから効果的にマクロセルの負荷を吸収することができない問題点がある。
【００２６】
３ＧＰＰＬＴＥ規格はスモールセルが効果的にマクロセルの負荷を吸収するようにするためにｅＩＣＩＣ(ｅｎｈａｎｃｅｄ Ｉｎｔｅｒ−Ｃｅｌｌ Ｉｎｔｅｒｆｅｒｅｎｃｅ Ｃｏｏｒｄｉｎａｔｉｏｎ、もしくはｔｉｍｅ−ｄｏｍａｉｎ ＩＣＩＣ)技術を導入した。
【００２７】
セルラー無線通信システムでは与えられたユーザに対して大体にダウンリンク受信電力の大きさが最も高いセルをサービングセル(ｓｅｒｖｉｎｇ ｃｅｌｌ)と指定し、当該ユーザがサービングセルからデータトラフィック(ｄａｔａ ｔｒａｆｆｉｃ)をダウンロードするように操作することが一般的である。一方、ｅＩＣＩＣ技術はマクロセルのダウンリンク受信電力大きさがスモールセルのダウンリンク受信電力の大きさより更に大きいユーザに対してスモールセルをサービングセル(ｓｅｒｖｉｎｇ ｃｅｌｌ)と指定し、当該スモールセルからデータトラフィックをダウンロードすることができる規格技術である。
【００２８】
図１は、ｅＩＣＩＣ技術を用いる場合、スモールセルのカバレッジが拡張されることを示す図面である。
【００２９】
図１に示されたように、ｅＩＣＩＣ技術を用いる場合、従来のスモールセルのカバレッジである１１０の境界は１２０の境界で拡張されることができる。結果的に、スモールセルがより多いマクロセルのユーザを吸収し、マクロセルの負荷をスモールセルで分散させることができる。
【００３０】
一方、図１に示されたような拡張されたスモールセルのカバレッジに位置したユーザはスモールセルの信号より更に大きいマクロセルの干渉を経るようになり、無線チャンネル品質が大きく劣化されることができる。これにより、前記拡張されたスモールセルのカバレッジに位置したユーザが正常な無線通信を行うのに難渋することができる。
【００３１】
このような技術的問題の解決のために、３ＧＰＰ ＬＴＥ ｅＩＣＩＣ技術はＡＢＳパターン技術とリソース制限(ｒｅｓｏｕｒｃｅ ｒｅｓｔｒｉｃｔｉｏｎ)技術を提供する。
【００３２】
ＡＢＳパターン技術によれば、マクロセルは当該セルから主要干渉を経るようになるスモールセルにＡＢＳパターンという情報を提供する。３ＧＰＰ ＬＴＥ ＦＤＤのｅＩＣＩＣ規格によれば、ＡＢＳパターン情報は４０ビットのビットストリーム(ｂｉｔ ｓｔｒｅａｍ)から構成され、４０ｍｓ周期で繰り返されるマクロセルの送信パワー(Ｔｘ Ｐｏｗｅｒ)制約可否を意味する。例えば、４０ｂｉｔの中で第１のｂｉｔの値は４０ｍｓ週期の中で第１のサブフレームでマクロセルの送信パワー(Ｔｘ Ｐｏｗｅｒ)制約可否を意味することができる。例えば、当該値が１の場合(=ＡＢＳ)、マクロセルは送信パワー(Ｔｘ Ｐｏｗｅｒ)を減少するという意味であり、当該値が０の場合(=ｎｏｎＡＢＳ)、マクロセルが特別な送信パワー(Ｔｘ Ｐｏｗｅｒ)制約を受けないということを意味することができる。
【００３３】
通常、ｅＩＣＩＣ技術によれば、スモールセルの拡張されたカバレッジ(ｃｏｖｅｒａｇｅ)に位置した端末はマクロセルから高い干渉を経るようになるので、マクロセルが送信パワー(Ｔｘ Ｐｏｗｅｒ)を減少させるＡＢＳに限り無線リソースが割り当てられることが無線チャンネル品質確保に有利である。
【００３４】
すなわち、ＡＢＳパターンはマクロセルの送信パワー(Ｔｘ Ｐｏｗｅｒ)減少可否を明示的にスモールセルに通知することによってスモールセルの拡張されたカバレッジに位置したユーザが安定的に無線通信を行うようにする技術である。
【００３５】
一方、リソース制限(Ｒｅｓｏｕｒｃｅ ｒｅｓｔｒｉｃｔｉｏｎ)技術はユーザにとって特定サブフレームに限ってチャンネル測定をするように誘導する技術である。
【００３６】
前記リソース制限技術には３つのパターンが存在することができる。
【００３７】
第１パターンは、４０ｂｉｔ情報から構成され、ユーザにとってサービングセルに対するＲＳＲＰ、ＲＳＲＱを測定して無線リンク障害(ｒａｄｉｏ ｌｉｎｋ Ｆａｉｌｕｒｅ、ＲＬＦ)判定をするサブフレームを制約する役目を担当する。
【００３８】
第２パターンは、４０ｂｉｔ情報から構成され、ユーザにとってネイバーセル(ｎｅｉｇｈｂｏｒｃｅｌｌ)に対するＲＳＲＰ、ＲＳＲＱを測定するサブフレームを制約する役目を担当する。
【００３９】
第３パターンは、２個の４０ｂｉｔ情報から構成される。第１の４０ｂｉｔは第１のチャンネル品質(ｃｈａｎｎｅｌ ｑｕａｌｉｔｙ ｉｎｄｉｃａｔｏｒ、ＣＱＩ)を測定するのに使用されるサブフレームを通知する役目を担当することができる。第２の４０ｂｉｔは第２のチャンネル品質を測定するのに使用されるサブフレームを通知する役目を担当する。
【００４０】
一般的なｅＩＣＩＣ技術によれば、ネットワークは第３パターンを用いてＡＢＳでのチャンネル品質とｎｏｎＡＢＳでのチャンネル品質をユーザにとって区分して測定するようにできる。これを利用し、ネットワークはユーザに無線リソース割り当て時、当該サブフレームのＡＢＳ 可否によって適切なチャンネル品質を適用してリソース割り当て及びＭＣＳ(ｍｏｄｕｌａｔｉｏｎ ａｎｄ ｃｏｄｉｎｇ ｓｃｈｅｍｅ)決定を行うことができる。
【００４１】
参照で、ＡＢＳパターンは時間により変更されることができる一方、ユーザに第３パターンを伝達することはシグナリングオーバーヘッド(ｓｉｇｎａｌｌｉｎｇ ｏｖｅｒｈｅａｄ)が誘発されることを考慮して第３パターンを効率的に操作することが必要である。
【００４２】
一方、３ＧＰＰ ＬＴＥ規格はより効果的な負荷分散機能を提供するためにＦｅＩＣＩＣ(Ｆｕｒｔｈｅｒ ｅｎｈａｎｃｅｄ Ｉｎｔｅｒ−Ｃｅｌｌ Ｉｎｔｅｒｆｅｒｅｎｃｅ Ｃｏｏｒｄｉｎａｔｉｏｎ)技術も導入した。
【００４３】
ＦｅＩＣＩＣ技術は、基地局がシグナリング(ｓｉｇｎａｌｉｎｇ)を介して端末に干渉セル情報を伝達し、干渉セルから発生するセル特定基準信号(ｃｅｌｌ−ｓｐｅｃｉｆｉｃ ｒｅｆｅｒｅｎｃｅ ｓｉｇｎａｌ、ＣＲＳ)による干渉を除去してチャンネル品質を向上させた。
【００４４】
特に、マクロセルがＡＢＳを実施した時、スモールセルのＵＥのチャンネル品質が向上されることができるので、ＦｅＩＣＩＣは既存のｅＩＣＩＣに対してよりスモールセルのカバレッジを広く確張する効果を提供することができることで期待される。
【００４５】
以下、後述する本明細書では便宜のために下記のようにＵＥを３つのタイプで区分して指称する。
−ｌｅｇａｃｙＵＥ(又は、第１タイプ端末)：ｅＩＣＩＣ／ＦｅＩＣＩＣ技術をサポートしないＵＥ
−ｅＩＣＩＣ ＵＥ(又は、第２タイプ端末)：ｅＩＣＩＣ技術をサポートするＵＥ
−ＦｅＩＣＩＣ ＵＥ(又は、第３タイプ端末)：ＦｅＩＣＩＣ技術をサポートするＵＥ
【００４６】
本発明は、マクロセルとスモールセルが混在された異種ネットワーク(ＨｅｔＮｅｔ)システムにおいてマクロセルとスモールセル間の効果的に負荷を分散する方法及び装置を提供することを目的とする。本明細書は３ＧＰＰ ＬＴＥ ＦＤＤ無線通信システム規格基準で説明するが、他の通信システムで確張することができることは勿論である。また、本明細書はマクロセルとスモールセルが混在されたネットワークにおいてスモールセルのカバレッジを確張する基準で説明するが、他の種類のセル構成でも確張することができることは勿論である。本明細書は便宜のためにスモールセルの一例としてピコセル(ｐｉｃｏ ｃｅｌｌ)で説明するが、必ずここに限定されるものではなく、遠隔無線装備(Ｒｅｍｏｔｅ Ｒａｄｉｏ Ｈｅａｄ、ＲＲＨ)、送信地点(Ｔｒａｎｓｍｉｓｓｉｏｎ Ｐｏｉｎｔ、ＴＰ)などのノードも同じ原理で本発明の実施形態が適用されることができる。
【００４７】
図２は、本発明の一実施形態によるセル領域管理方法を示す図面である。
【００４８】
以下、ピコセルの‘セル領域拡張以前のセル領域１１０’対比‘セル領域拡張以後のセル領域１２０’をセル拡張領域(ＣＲＥ領域、又は予備領域)と称する。
【００４９】
この場合、本発明の一実施形態によれば、前記‘セル領域拡張以後のセル領域１２０’は ‘セル領域拡張以前のセル領域１１０’を含まない意味で使用されることもできる事に留意すべきである。
【００５０】
ピコセルのセル拡張領域又はセル拡張が可能な領域に位置し、マクロセルをサービングセルとする端末を‘マクロＣＲＥ端末’(又は‘マクロ予備領域端末’)２１０と称する。
【００５１】
前記マクロセルをサービングセルとする端末のうちで ‘マクロＣＲＥ端末’を除いた端末を‘マクロｎｏｎ−ＣＲＥ端末’(又は‘マクロ非予備領域端末’)２２０と称する。
【００５２】
ピコセルのセル拡張領域に位置し、ピコセルをサービングセルとする端末を‘ピコＣＲＥ端末’(又は‘ピコ予備領域端末’)２３０と称する。
【００５３】
前記ピコセルをサービングセルとする端末のうちで‘ピコＣＲＥ端末’を除いた端末を‘ピコｎｏｎ−ＣＲＥ端末’(‘ピコ非予備領域端末’)２４０と称する。
【００５４】
図２に示されたセル領域管理方法ではピコセルでカバレッジ拡張可能な領域(予備領域又はＣＲＥ領域)をマクロセル又はピコセルの固有ｃｅｌｌ領域ではない、マクロセルとピコセルの“共有のｃｅｌｌ領域”と操作することを特徴とする。
【００５５】
図２に示された本発明の一実施形態では固有のＵＥ管理方法を介して予備領域に属するＵＥを区分する。マクロセルは予備領域内のマクロＵＥ(ｍａｃｒｏ ＣＲＥ ＵＥ)と予備領域に位置しないマクロＵＥ(ｍａｃｒｏ ｎｏｎ−ＣＲＥ ＵＥ)を区分する。
【００５６】
同様にピコセルは予備領域内のピコＵＥ(ｐｉｃｏＣＲＥ ＵＥ)と予備領域に位置しないピコＵＥ(ｐｉｃｏ ｎｏｎ−ＣＲＥ ＵＥ)を区分する。
【００５７】
図２に示された本発明の一実施形態によれば、マクロセルとピコセルの負荷差が一定しきい値(ｔｈｒｅｓｈｏｌｄ)より大きくなる場合、負荷が高いセルをサービングセルと有する予備領域ＵＥを、負荷が低いセルで強制でハンドオーバーさせることができる。
【００５８】
一方、セルラーシステムはハンドオーバーピンポン(ｈａｎｄｏｖｅｒ ｐｉｎｇｐｏｎｇ)現象を阻むためにハンドオーバー発生条件にヒステリシス(ｈｙｓｔｅｒｅｓｉｓ)を適用するので一般的に共有のセル領域が形成される。
【００５９】
例えば、マクロセルとピコセル境界に形成される共有のセル領域はマクロセル領域もなり、ピコセル領域もなる領域として、当該領域内でＵＥが移動する時のハンドオーバーが発生しない。共有のセル領域はハンドオーバーピンポン(ｈａｎｄｏｖｅｒ ｐｉｎｇｐｏｎｇ)を阻む良い方法であるが、ＵＥが信号強度観点における最適セルをサービングセルで有することができない欠点がある。例えば、マクロＵＥよりピコＵＥがむしろマクロセル信号が大きく受信される所に位置することができる。
【００６０】
図２に示された図面による実施形態はマクロセルとピコセル境界に存在する共有のセル領域(又は、予備領域)をより広く操作する方式を用いるのでＵＥが信号強度観点における最適セルをサービングセルで有することができない恐れがある。
【００６１】
図３は、本発明の一実施形態によってｅＩＣＩＣ ＵＥがグループ別で位置することができる領域を示す図面である。
【００６２】
図３を参照すれば、前記グループはマクロｎｏｎ−ＣＲＥ ＵＥ、マクロＣＲＥ ＵＥ、ピコｎｏｎ−ＣＲＥ ＵＥ、ピコＣＲＥ ＵＥの４つのグループを含む。前記各グループに対する定義は図２で記述した事があるので、詳しい説明は省略する。
【００６３】
マクロＣＲＥ ＵＥのカバレッジ領域とピコＣＲＥ ＵＥのカバレッジ領域が重ねた領域が予備領域(ＣＲＥ領域)に該当する。
【００６４】
図３を参考すれば、例えば、図示されたＵＥの場合のように、マクロＵＥ３００がピコＵＥ３１０よりピコセル信号が更に良好に受信される所に位置することができるが、劣化された無線チャンネル品質のため不必要な無線リソース浪費をもたらすので２つのＵＥ３１０、３２０のサービングセルを交換する方が好ましい。
【００６５】
一方、本発明の一実施形態によれば、予備領域ＵＥを区分するために３ＧＰＰ ＬＴＥ規格のＡ３ｅｖｅｎｔを適用するのに、不必要なＵＥのＲＳＲＰ情報ｒｅｐｏｒｔ(３ＧＰＰ ＬＴＥでＭＲと指称する)を減らすためにＡ３ ｅｖｅｎｔ進入条件満足時のＭＲを１回だけ送信するように操作する。
【００６６】
しかし、同じＡ３ ｅｖｅｎｔが他のセルに対してはＨＯ判定用途で用いられるのでＭＲを１回だけ送信することはＨＯ品質低下を引き起こす恐れがある。
【００６７】
以下では本発明の他の実施形態によって、マクロセルとピコセルが混在されたＨｅｔＮｅｔシステムにおいてマクロセルとピコセル間の効果的に負荷を分散する方法に対して記述する。
【００６８】
以下で記述する本発明の他の実施形態では負荷分散過程において不必要な無線リソース浪費発生を最小化し、ハンドオーバー品質を維持してｅＩＣＩＣ ＵＥとＦｅＩＣＩＣ ＵＥを差等操作して負荷分散効果を最大化できる無線通信システムを操作する方法に対して記述する。
【００６９】
以下で記述する本発明の一実施形態による発明動作に係るシステムパラメーターは以下の通りである。
−ｅＩＣＩＣ ＯＮ／ＯＦＦパラメーター：ｅＩＣＩＣ動作がＯＮ／ＯＦＦできる。
−ＣＲＥ ＯＮ／ＯＦＦパラメーター：ｅＩＣＩＣ ＯＮに限り有効であり、ピコセルｃｏｖｅｒａｇｅ拡張機能がＯＮ／ＯＦＦできる。
−ＭＬＢ(Ｍｏｂｉｌｉｔｙ Ｌｏａｄ Ｂａｌａｎｃｉｎｇ)ＯＮ／ＯＦＦパラメーター：マクロセルとピコセル間の強制ハンドオーバー機能がＯＮ／ＯＦＦできる。
【００７０】
図４は、本発明の一実施形態によるマクロセル基地局の内部構造を示すブロック図である。
【００７１】
図４に示されたように、本発明の実施形態によるマクロセル基地局はマクロＣＲＥ ＵＥ管理部４１０、負荷計算部４２０、負荷情報管理部４３０、負荷分散判定部４４０、負荷分散実行部４５０、ＡＢＳの割合決定部４６０、ＡＢＳパターン生成部４７０、無線リソース割り当て部４８０を含む。
【００７２】
前記マクロＣＲＥ ＵＥ管理部４１０は、マクロセルをサービングセル(ｓｅｒｖｉｎｇｃｅｌｌ)で有するＵＥから受信したＭＲ情報を入力で受け、前記ＵＥをマクロＣＲＥ ＵＥとマクロｎｏｎ−ＣＲＥ ＵＥで区分して管理する。そして、前記マクロＣＲＥ ＵＥ管理部は出力でＣＲＥ ＵＥ情報を負荷分散判定部４４０と負荷分散実行部４５０に伝達する。
【００７３】
前記負荷情報管理部４３０は、周辺基地局から受信した周辺セル負荷情報と自セルの負荷計算部４２０から受信した自セル負荷情報を入力で受け、セル別で負荷情報を管理する。そして、前記負荷情報管理部４３０は出力で当該情報を負荷分散判定部４４０とＡＢＳ割合決定部４６０に伝達する。
【００７４】
前記負荷計算部４２０は、無線リソース割り当て部４８０からスケジューリング情報を入力で受け、自セルの負荷を計算する。そして、前記負荷計算部４２０は出力で当該結果を負荷情報管理部４３０に伝達する。
【００７５】
前記負荷分散判定部４４０は、負荷情報管理部４３０から受信した自分の及び周辺セルの負荷情報とマクロＣＲＥ ＵＥ管理部４１０から受信したＣＲＥ ＵＥ情報を入力で受け、自セル負荷を周辺セルで分散させるか否かを判定し、出力で負荷分散判定情報を負荷分散実行部４５０に伝達する。
【００７６】
前記負荷分散実行部４５０は、マクロＣＲＥ ＵＥ管理部４１０から受信したＣＲＥ ＵＥ情報と負荷分散判定部４４０から受信した負荷分散判定情報を入力で受けて負荷分散動作を行う。負荷分散実行部４５０は出力でｅＩＣＩＣパートナーピコセル基地局にＨＯ ｔｒｉｇｇｅｒ変更情報を伝達することもでき、ＵＥにＨＯ情報を伝達してハンドオーバーを行うように指示することもできる。本発明の実施形態によるハンドオーバートリガー(ＨＯ ｔｒｉｇｇｅｒ)は、マクロセル基地局からピコセル基地局に、もしくはピコセル基地局からマクロセル基地局にハンドオーバーを行う基準線を意味することができる。
【００７７】
前記ＡＢＳの割合決定部４６０は、負荷情報管理部４３０から自分及び周辺セル負荷情報を入力で受け、ＡＢＳ割合を決定し、出力でＡＢＳ割合情報をＡＢＳパターン生成部４７０に伝達する。
【００７８】
前記ＡＢＳパターン生成部４７０は、ＡＢＳ割合決定部４６０からＡＢＳ割合を入力で受け、ＡＢＳパターンを決定し、出力でＡＢＳパターンを無線リソース割り当て部４８０とｅＩＣＩＣパートナーピコセル基地局に伝達する。
【００７９】
前記無線リソース割り当て部４８０は、ＡＢＳパターン生成部４７０からＡＢＳパターンを入力で受け、ＡＢＳ パターンを考慮してＵＥに無線リソースをスケジューリングし、出力でスケジューリング関連情報を負荷計算部４２０に伝達する。
【００８０】
一方、前記ではマクロセル基地局が複数個のブロックから構成され、各ブロックが異なる機能を行うことで記載したが必ずここに限定されるものではない。例えば、マクロセル基地局は端末又はピコセル基地局と信号を送受信する送受信部を備えることができ、これと共に制御部が前記機能をいずれも行うように具現されることもできる。
【００８１】
例えば、前記制御部はセル間の負荷を分散させるため、前記第２基地局に対する可変の予備領域を設定し、前記予備領域によって基地局間の負荷を分散させるように制御することができる。この場合、前記第１基地局をサービング基地局とする端末を第１基地局予備領域端末と、第１基地局非予備領域端末で区分して管理することができる。前記第１基地局はマクロセル基地局であり、前記第２基地局はピコセル基地局であることができる。
【００８２】
また、前記端末は、ｅＩＣＩＣ(ｅｎｈａｎｃｅｄ Ｉｎｔｅｒ−Ｃｅｌｌ Ｉｎｔｅｒｆｅｒｅｎｃｅ Ｃｏｏｒｄｉｎａｔｉｏｎ)機能及びＦｅＩＣＩＣ(Ｆｕｒｔｈｅｒ ｅＩＣＩＣ)機能をサポートしない第１タイプ端末と、ｅＩＣＩＣ機能をサポートする第２タイプ端末と、ＦｅＩＣＩＣ機能をサポートする第３タイプ端末を含むことができる。
【００８３】
また、前記制御部は強制ハンドオーバー(Ｆｏｒｃｅｄ ＨＯ)必要可否を判定し、強制ハンドオーバー必要時の任意の端末を前記第２基地局へハンドオーバーさせるように制御することができる。この場合、制御部はセル間の干渉制御機能の活性化可否、セル間の干渉制御パートナーセル存在可否、現在適用中のＡＢＳ(Ａｌｍｏｓｔ Ｂｌａｎｋ Ｓｕｂｆｒａｍｅ)割合、マクロセル予備領域端末の存在可否のうちの少なくとも一つに基づいて前記強制ハンドオーバー必要可否を判定することができる。この場合、前記制御部は強制ハンドオーバーのための少なくとも一つ以上の端末を選定し、前記選定された端末に測定報告をリクエストし、前記リクエストに対応して前記選定された端末から測定報告を受信するように制御することができる。
【００８４】
また、前記制御部は任意の第２基地局の負荷が予め定義されたしきい値以下である第２基地局に対する予備領域に位置した端末を、前記負荷分散のための端末と選定することができる。また、前記制御部は前記強制ハンドオーバーが必要ないか、又は前記選定された端末から測定報告を受信することができない場合、前記予備領域を動かすことができる状態であるか判定し、前記予備領域を動かすことができる状態の場合、前記第１基地局と第２基地局間のハンドオーバー基準線を変更して前記予備領域を前記第１基地局又は前記第２基地局方向に移動させるように制御することができる。この場合、前記制御部はｅＩＣＩＣ機能及びセル拡張領域(ＣＲＥ)機能が活性化状態であれば、前記予備領域を動かすことができる状態であると判定することができる。制御部は、前記第１タイプ端末、前記第２タイプ端末又は前記第３タイプ端末に対するＡ３イベントに対するオフセット値を変更し、前記ハンドオーバー基準線を変更するように制御することができる。この場合、前記第３タイプ端末に対するハンドオーバー基準線の移動範囲が、前記第２タイプ端末に対するハンドオーバー基準線の移動範囲より広いことを特徴とすることができる。
【００８５】
図５は、本発明の一実施形態によるピコセル基地局の内部構造を示すブロック図である。
【００８６】
図５に示されたように、本発明の実施形態によるピコセル基地局はピコＣＲＥ ＵＥ管理部５１０、負荷計算部５２０、負荷情報管理部５３０、負荷分散判定部５４０、負荷分散実行部５５０、無線リソース割り当て部５６０を含む。
【００８７】
前記ピコＣＲＥ ＵＥ管理部５１０は、ピコセルをサービングセル(ｓｅｒｖｉｎｇ ｃｅｌｌ)で有するＵＥから受信したＭＲ情報を入力で受け、前記ＵＥをピコＣＲＥ ＵＥとピコｎｏｎ−ＣＲＥ ＵＥで区分して管理する。そして、前記ｐｉｃｏＣＲＥ ＵＥ管理部５１０は出力でＣＲＥ ＵＥ情報を負荷分散判定部５４０と負荷分散実行部５５０に伝達する。
【００８８】
前記負荷情報管理部５３０は、周辺基地局から受信した周辺セル負荷情報と自セルの負荷計算部５２０から受信した自セル負荷情報を入力で受け、セル別で負荷情報を管理する。そして、前記負荷情報管理部５３０は出力で当該情報を負荷分散判定部５４０に伝達する。
【００８９】
前記負荷計算部５２０は、無線リソース割り当て部５６０からスケジューリング情報を入力で受け、自セルの負荷を計算する。そして、前記負荷計算部５２０は出力で当該結果を負荷情報管理部５３０に伝達する。
【００９０】
前記負荷分散判定部５４０は、負荷情報管理部５３０から受信した自分及び周辺セルの負荷情報とピコＣＲＥ ＵＥ管理部５１０から受信したＣＲＥ ＵＥ情報を入力で受け、自セル負荷を周辺セルで分散させるか否かを判定し、出力で負荷分散判定情報を負荷分散実行部５５０に伝達する。
【００９１】
前記負荷分散実行部５５０は、ピコＣＲＥ ＵＥ管理部５１０から受信したＣＲＥ ＵＥ情報と負荷分散判定部５４０から受信した負荷分散判定情報を入力で受けて負荷分散動作を行う。負荷分散実行部５５０は出力でｅＩＣＩＣパートナーマクロセル基地局にＨＯ ｔｒｉｇｇｅｒ変更情報を伝達することもでき、ＵＥにＨＯ情報を伝達してｈａｎｄｏｖｅｒを行うように指示することもできる。
【００９２】
前記無線リソース割り当て部５６０は、ｅＩＣＩＣパートナーマクロセル基地局から伝達されたＡＢＳパターンを入力で受け、ＡＢＳパターンを考慮してＵＥに無線リソースをスケジューリングし、出力でスケジューリング(ｓｃｈｅｄｕｌｉｎｇ)関連情報を負荷計算部５２０に伝達する。
【００９３】
一方、前記ではピコセル基地局が複数個のブロックから構成され、各ブロックが相違する機能を行うことで記載したが必ずここに限定されるものではない。例えば、ピコセル基地局は端末又はマクロセル基地局と信号を送受信する送受信部を備えることができ、これと共に制御部が前記機能をいずれも行うように具現されることもできる。
【００９４】
一方、マクロセル基地局内のマクロＣＲＥ ＵＥ管理部４１０は、ｅＩＣＩＣ ＯＦＦ又はＣＲＥ ＯＦＦであればすべてのＵＥをマクロｎｏｎ−ＣＲＥ ＵＥで管理する。一方、前記マクロＣＲＥ ＵＥ管理部４１０は、ｅＩＣＩＣ ＯＮでＣＲＥ ＯＮであれば、以下の３つを同時に満足するＵＥに限りマクロＣＲＥ ＵＥ又はマクロｎｏｎ−ＣＲＥ ＵＥ可否を区分して管理する。
【００９５】
１．当該キャリア(ｃａｒｒｉｅｒ)をＰｃｅｌｌ(Ｐｒｉｍａｒｙ ｃｅｌｌ)で有するＵＥである。
２．ＧＢＲ(Ｇｕａｒａｎｔｅｅｄ ｂｉｔ Ｒａｔｅ)ｂｅａｒｅｒを有しないＵＥである。
３．ｅＩＣＩＣ ＵＥであるかＦｅＩＣＩＣ ＵＥである(即ち、ｌｅｇａｃｙＵＥではない)。
マクロＣＲＥ ＵＥ管理部４１０は、前記の３つのうちのいずれか１つでも満足されないＵＥの場合には常にマクロｎｏｎ−ＣＲＥ ＵＥで管理する。
【００９６】
図６Ａ及び図６Ｂは、マクロＣＲＥ ＵＥ管理部が前記３つの条件を満足するＵＥに対してマクロＣＲＥ ＵＥ又はマクロｎｏｎ−ＣＲＥ ＵＥで区分して管理する方法を示す図面である。  
【００９７】
先ず、マクロセルに初めて接続したＵＥは基本的にマクロｎｏｎ−ＣＲＥ ＵＥで区分されることができる。
【００９８】
マクロｎｏｎ−ＣＲＥ ＵＥであるｅＩＣＩＣ ＵＥは、一つ以上のｅＩＣＩＣパートナーピコセルに対してＣＩＯ(ｃｅｌｌ ｉｎｄｉｖｉｄｕａｌ ｏｆｆｓｅｔ)値を当該ピコセルに対応されるｅＩＣＩＣＢｏｕｎｄ値(＝ｅＩＣＩＣ_Ｂ)を用いて(ｅＩＣＩＣＢｏｕｎｄ−Δ／２)と設定する。各ピコセルは互いに異なるｅＩＣＩＣＢｏｕｎｄ値を有することができ、前記ｅＩＣＩＣＢｏｕｎｄは当該ピコセルが最大限のカバレッジを確張することができる境界(ｂｏｕｎｄａｒｙ)を意味することができる。Δは、一般的にハンドオーバーピンポン(ＨＯ ｐｉｎｇ−ｐｏｎｇ)防止のために使用されるＡ３ ｏｆｆｓｅｔ値に該当する。
【００９９】
例えば、ｅＩＣＩＣ ＵＥは図６Ａ及び図６Ｂの矢印２のようにマクロＲＳＲＰ＋Δ≦ピコＲＳＲＰ＋(ｅＩＣＩＣＢｏｕｎｄ−Δ／２)条件が満足されるほどｅＩＣＩＣパートナーピコセルに近くなればＭＲ報告を行う。そして、マクロＣＲＥ ＵＥ管理部は当該ｅＩＣＩＣ ＵＥをマクロＣＲＥ ＵＥで区分するようになる。
【０１００】
マクロＣＲＥ ＵＥであるｅＩＣＩＣ ＵＥは、すべてのｅＩＣＩＣパートナーピコセルに対してＣＩＯ値を当該ピコセルに対応されるｅＩＣＩＣＣＩＯ値で取り替える。
【０１０１】
ｅＩＣＩＣ ＵＥが図６Ａ及び図６Ｂの矢印４のようにマクロＲＳＲＰ＋Δ≦ピコＲＳＲＰ＋ｅＩＣＩＣＣＩＯである条件が満足されるほどｅＩＣＩＣパートナーピコセルに更に近くなればＭＲ報告を行い、当該ＵＥはｅＩＣＩＣパートナーピコセルでハンドオーバー(ｈａｎｄｏｖｅｒ)を行うようになる。
【０１０２】
マクロＣＲＥ ＵＥであるｅＩＣＩＣ ＵＥは、追加で一つのＡ３イベントをさらに設定するようになるのに、この時のヒステリシス(Ｈｙｓｔｅｒｅｓｉｓ)値はΔ／２、Ａ３オフセット値はＨｙｓｔｅｒｅｓｉｓ−ｅＩＣＩＣ_Ｂ＋ｅＩＣＩＣＣＩＯであり、ｒｅｐｏｒｔＯｎＬｅａｖｅＴＲＵＥと設定する。
【０１０３】
マクロＣＲＥ ＵＥであるｅＩＣＩＣ ＵＥは、前記追加されたＡ３イベントに対して直ちにｅｎｔｅｒｉｎｇ条件(マクロＲＳＲＰ＋(Δ／２−ｅＩＣＩＣ_Ｂ＋ｅＩＣＩＣＣＩＯ)＋ Δ／２≦ピコＲＳＲＰ＋ｅＩＣＩＣＣＩＯ)が成立されてＭＲを報告するようになり、以後、図６Ａ及び図６Ｂの矢印３のようにｌｅａｖｉｎｇ条件(マクロＲＳＲＰ＋(Δ／２−ｅＩＣＩＣ_Ｂ＋ｅＩＣＩＣＣＩＯ)−Δ／２≧ピコＲＳＲＰ＋ｅＩＣＩＣＣＩＯ)が満足されるほどｅＩＣＩＣパートナーピコセルから遠くなれば、更にＭＲを報告するようになる。
【０１０４】
Ｌｅａｖｉｎｇ条件によるＭＲ報告が届くと、マクロＣＲＥ ＵＥ管理部は当該ｅＩＣＩＣ ＵＥをマクロｎｏｎ−ＣＲＥ ＵＥで区分して管理し始めて、マクロｎｏｎ−ＣＲＥ ＵＥであるｅＩＣＩＣ ＵＥのためのＡ３イベントで取り替えて設定する。
【０１０５】
マクロｎｏｎ−ＣＲＥ ＵＥであるＦｅＩＣＩＣ ＵＥは、一つ以上のｅＩＣＩＣパートナーピコセルに対してＣＩＯ(ｃｅｌｌ ｉｎｄｉｖｉｄｕａｌ ｏｆｆｓｅｔ)値を当該ピコセルに対応されるＦｅＩＣＩＣＢｏｕｎｄ値(=ＦｅＩＣＩＣ_Ｂ)を用いて(ＦｅＩＣＩＣＢｏｕｎｄ−Δ／２)と設定する。各ピコセルは互いに異なるＦｅＩＣＩＣＢｏｕｎｄ値を有することができ、当該ピコセルが最大限のカバレッジ(ｃｏｖｅｒａｇｅ)を確張することができるｂｏｕｎｄａｒｙを意味する。
【０１０６】
ＦｅＩＣＩＣ ＵＥが図６Ａ及び図６Ｂの矢印５のようにマクロＲＳＲＰ＋Δ≦ピコＲＳＲＰ＋(ＦｅＩＣＩＣＢｏｕｎｄ−Δ／２)条件が満足されるほどｅＩＣＩＣパートナーピコセルに近くなればＭＲ報告を行い、マクロＣＲＥ ＵＥ管理部は当該ＦｅＩＣＩＣ ＵＥをマクロＣＲＥ ＵＥで区分するようになる。
【０１０７】
マクロＣＲＥ ＵＥであるＦｅＩＣＩＣ ＵＥは、すべてのｅＩＣＩＣパートナーピコセルに対してＣＩＯ値を当該ピコセルに対応されるＦｅＩＣＩＣＣＩＯ値で取り替える。ＦｅＩＣＩＣ ＵＥが図６Ａ及び図６Ｂの矢印７のようにマクロＲＳＲＰ＋Δ≦ピコＲＳＲＰ＋ＦｅＩＣＩＣＣＩＯである条件が満足されるほどｅＩＣＩＣパートナーピコセルに更に近くなればＭＲ報告を行う。そして、当該ＵＥはｅＩＣＩＣパートナーピコセルでハンドオーバー(ｈａｎｄｏｖｅｒ)を行うようになる。
【０１０８】
マクロＣＲＥ ＵＥであるＦｅＩＣＩＣ ＵＥも、同様に追加で一つのＡ３イベントをさらに設定するようになるのに、この時のヒステリシス(Ｈｙｓｔｅｒｅｓｉｓ)値はΔ／２、Ａ３オフセット(ｏｆｆｓｅｔ)値はＨｙｓｔｅｒｅｓｉｓ−ＦｅＩＣＩＣ_Ｂ＋ＦｅＩＣＩＣＣＩＯであり、ｒｅｐｏｒｔＯｎＬｅａｖｅＴＲＵＥと設定する。
【０１０９】
マクロＣＲＥ ＵＥであるＦｅＩＣＩＣ ＵＥは、前記追加されたＡ３イベントに対して直ちにｅｎｔｅｒｉｎｇ条件(マクロＲＳＲＰ＋(Δ／２−ＦｅＩＣＩＣ_Ｂ＋ＦｅＩＣＩＣＣＩＯ)＋ Δ／２≦ピコＲＳＲＰ＋ＦｅＩＣＩＣＣＩＯ)が成立されてＭＲを報告するようになり、以後、図６Ａ及び図６Ｂの矢印６のようにｌｅａｖｉｎｇ条件(マクロＲＳＲＰ＋(Δ／２−ＦｅＩＣＩＣ_Ｂ＋ＦｅＩＣＩＣＣＩＯ)−Δ／２≧ピコＲＳＲＰ＋ＦｅＩＣＩＣＣＩＯ)が満足されるほどｅＩＣＩＣパートナーピコセルから遠くなれば、更にＭＲを報告するようになる。
【０１１０】
Ｌｅａｖｉｎｇ条件によるＭＲ報告が届くと、マクロＣＲＥ ＵＥ管理部は当該ＦｅＩＣＩＣ ＵＥをマクロｎｏｎ−ＣＲＥ ＵＥで区分して管理し始めて、マクロｎｏｎ−ＣＲＥ ＵＥであるＦｅＩＣＩＣ ＵＥのためのＡ３イベントで取り替えて設定する。
【０１１１】
一方、ピコセル基地局内のピコＣＲＥ ＵＥ管理部はｅＩＣＩＣ ＯＦＦ又はＣＲＥ ＯＦＦであればすべてのＵＥをピコｎｏｎ−ＣＲＥ ＵＥで管理する。一方、ピコＣＲＥ ＵＥ管理部はｅＩＣＩＣ ＯＮでＣＲＥ ＯＮであれば、以下の３つを同時に満足するＵＥに限りピコＣＲＥ ＵＥ又はピコｎｏｎ−ＣＲＥ ＵＥ可否を区分して管理する。
−当該ｃａｒｒｉｅｒをＰＣｅｌｌ(Ｐｒｉｍａｒｙ ｃｅｌｌ)で有するＵＥである。
−ＧＢＲ(Ｇｕａｒａｎｔｅｅｄ Ｂｉｔ Ｒａｔｅ)ｂｅａｒｅｒを有しないＵＥである。
−ｅＩＣＩＣ ＵＥであるかＦｅＩＣＩＣ ＵＥである(即ち、ｌｅｇａｃｙＵＥではない)。
【０１１２】
前記３つのうちのいずれか１つでも満足されないＵＥの場合には常にピコｎｏｎ−ＣＲＥ ＵＥで管理する。
【０１１３】
図７Ａ及び図７Ｂは、ｅＩＣＩＣ ＯＮでＣＲＥ ＯＮであるとき、ピコＣＲＥ ＵＥ管理部が前記３つ条件を満足するＵＥに対してピコＣＲＥ ＵＥ又はピコｎｏｎ−ＣＲＥ ＵＥで区分して管理する方法を示す図面である。
【０１１４】
先ず、ピコセルに初めて接続したＵＥは、一応ピコｎｏｎ−ＣＲＥ ＵＥで区分されることができる。
【０１１５】
ピコｎｏｎ−ＣＲＥ ＵＥであるｅＩＣＩＣ ＵＥは、ｅＩＣＩＣパートナーマクロセルに対してＣＩＯ(ｃｅｌｌｉｎｄｉｖｉｄｕａｌｏｆｆｓｅｔ)値を当該マクロセルに対応される−ＭＲＯＣＩＯ値と設定する。マイナス(Ｍｉｎｕｓ)符号の付く理由は、図６Ａ、図６Ｂ、図７Ａ及び図７Ｂで同様のＭＲＯＣＩＯ変数を適用して混同を避けるためである。
【０１１６】
ｅＩＣＩＣ ＵＥが図７Ａ及び図７Ｂの矢印２のようにピコＲＳＲＰ＋Δ≦マクロＲＳＲＰ＋(−ＭＲＯＣＩＯ)条件が満足されるほどｅＩＣＩＣパートナーマクロセルに近くなればＭＲ報告を行う。そして、ピコＣＲＥ ＵＥ管理部は当該ｅＩＣＩＣ ＵＥをピコＣＲＥ ＵＥで区分することができる。
【０１１７】
ピコＣＲＥ ＵＥであるｅＩＣＩＣ ＵＥは、ｅＩＣＩＣパートナーマクロセルに対してＣＩＯ値を当該マクロセルに対応される−ｅＩＣＩＣＣＩＯ値で取り替える。マイナス(Ｍｉｎｕｓ)符号の付く理由は、図６Ａ、図６Ｂ、図７Ａ及び図７Ｂで同様のｅＩＣＩＣＣＩＯ変数を適用して混同を避けるためである。
【０１１８】
ｅＩＣＩＣ ＵＥが図７Ａ及び図７Ｂの矢印４のようにピコＲＳＲＰ＋Δ≦マクロＲＳＲＰ＋(−ｅＩＣＩＣＣＩＯ)である条件が満足されるほどｅＩＣＩＣパートナーマクロセルに更に近くなればＭＲ報告を行う。そして、当該ＵＥはｅＩＣＩＣパートナーマクロセルでｈａｎｄｏｖｅｒを行うようになる。
【０１１９】
ピコＣＲＥ ＵＥであるｅＩＣＩＣ ＵＥは、追加で一つのＡ３イベントをさらに設定するようになるのに、この時のヒステリシス(Ｈｙｓｔｅｒｅｓｉｓ)値はΔ／２、Ａ３ｏｆｆｓｅｔ値は−ｅＩＣＩＣＣＩＯ＋ＭＲＯＣＩＯであり、ｒｅｐｏｒｔＯｎＬｅａｖｅ ＴＲＵＥと設定する。
【０１２０】
ピコＣＲＥ ＵＥであるｅＩＣＩＣ ＵＥは、前記追加されたＡ３イベントに対して直ちにｅｎｔｅｒｉｎｇ条件(ピコＲＳＲＰ＋(−ｅＩＣＩＣＣＩＯ＋ＭＲＯＣＩＯ)＋ Δ／２≦マクロＲＳＲＰ−ｅＩＣＩＣＣＩＯ)が成立されてＭＲを報告する。以後、図７Ａ及び図７Ｂの矢印３のようにｌｅａｖｉｎｇ条件(ピコＲＳＲＰ＋(−ｅＩＣＩＣＣＩＯ＋ＭＲＯＣＩＯ)−Δ／２≦マクロＲＳＲＰ−ｅＩＣＩＣＣＩＯ)が満足されるほどのｅＩＣＩＣパートナーマクロセルから遠くなれば、更にＭＲを報告するようになる。
【０１２１】
Ｌｅａｖｉｎｇ条件によるＭＲ報告が届くと、ピコＣＲＥ ＵＥ管理部は当該ｅＩＣＩＣ ＵＥをピコｎｏｎ−ＣＲＥ ＵＥで区分して管理し始めて、ピコｎｏｎ−ＣＲＥ ＵＥであるｅＩＣＩＣ ＵＥのためのＡ３ｅｖｅｎｔで取り替えて設定する。
【０１２２】
ピコｎｏｎ−ＣＲＥ ＵＥであるＦｅＩＣＩＣ ＵＥは、ｅＩＣＩＣパートナーマクロセルに対してＣＩＯ(ｃｅｌｌ ｉｎｄｉｖｉｄｕａｌ ｏｆｆｓｅｔ)値を当該マクロセルに対応される−ＭＲＯＣＩＯ値と設定する。マイナス(Ｍｉｎｕｓ)符号の付く理由は、図６Ａ、図６Ｂ、図７Ａ及び図７Ｂで同様のＭＲＯＣＩＯ変数を適用して混同を避けるためである。ＦｅＩＣＩＣ ＵＥが図７Ａ及び図７Ｂの矢印５のようにピコＲＳＲＰ＋Δ≦マクロＲＳＲＰ＋(−ＭＲＯＣＩＯ)条件が満足されるほどｅＩＣＩＣパートナーマクロセルに近くなればＭＲ報告を行い、ピコＣＲＥ ＵＥ管理部は当該ＦｅＩＣＩＣ ＵＥをピコＣＲＥ ＵＥで区分するようになる。
【０１２３】
ピコＣＲＥ ＵＥであるＦｅＩＣＩＣ ＵＥは、ｅＩＣＩＣパートナーマクロセルに対してＣＩＯ値を当該マクロセルに対応される−ＦｅＩＣＩＣＣＩＯ値で取り替える。マイナス(Ｍｉｎｕｓ)符号の付く理由は、図６Ａ、図６Ｂ、図７Ａ及び図７Ｂで同等のＦｅＩＣＩＣＣＩＯ変数を適用して混同を避けるためである。
【０１２４】
ＦｅＩＣＩＣ ＵＥが図７Ａ及び図７Ｂの矢印７のようにピコＲＳＲＰ＋Δ≦マクロＲＳＲＰ＋(−ＦｅＩＣＩＣＣＩＯ)である条件が満足されるほどのｅＩＣＩＣパートナーマクロセルに更に近くなればＭＲ報告を行う。当該ＵＥはｅＩＣＩＣパートナーマクロセルでハンドオーバーを行う。
【０１２５】
ピコＣＲＥ ＵＥであるＦｅＩＣＩＣ ＵＥは、追加で一つのＡ３イベントをさらに設定するようになるのに、この時のヒステリシス(Ｈｙｓｔｅｒｅｓｉｓ)値は Δ／２、Ａ３ｏｆｆｓｅｔ値は−ＦｅＩＣＩＣＣＩＯ＋ＭＲＯＣＩＯであり、ｒｅｐｏｒｔＯｎＬｅａｖｅ ＴＲＵＥと設定する。
【０１２６】
ピコＣＲＥ ＵＥであるＦｅＩＣＩＣ ＵＥは、前記追加されたＡ３イベントに対して直ちにｅｎｔｅｒｉｎｇ条件(ピコＲＳＲＰ＋(−ＦｅＩＣＩＣＣＩＯ＋ＭＲＯＣＩＯ)＋Δ／２≦マクロＲＳＲＰ−ＦｅＩＣＩＣＣＩＯ)が成立されてＭＲを報告する。以後、図７Ａ及び図７Ｂの矢印６のようにｌｅａｖｉｎｇ条件(ピコＲＳＲＰ＋(−ＦｅＩＣＩＣＣＩＯ＋ＭＲＯＣＩＯ)−Δ／２≦マクロＲＳＲＰ−ＦｅＩＣＩＣＣＩＯ)が満足されるほどｅＩＣＩＣパートナーマクロセルから遠くなれば、更にＭＲを報告する。
【０１２７】
Ｌｅａｖｉｎｇ条件によるＭＲ報告が届くと、ピコＣＲＥ ＵＥ管理部は当該ＦｅＩＣＩＣ ＵＥをピコｎｏｎ−ＣＲＥ ＵＥで区分して管理し始めて、ピコｎｏｎ−ＣＲＥ ＵＥであるＦｅＩＣＩＣ ＵＥのためのＡ３イベントで取り替えて設定する。
【０１２８】
図８は、マクロセル基地局の負荷分散判定部４４０でＣＲＥ状態(ＣＲＥ_ｓｔａｔｕｓ)を管理するのに用いられる状態遷移ダイヤグラムを示す図面である。
【０１２９】
本発明の実施形態によれば、ＣＲＥ状態には{ＣＲＥｄｅａｃｔｉｖａｔｅｄ、ＣＲＥａｃｔｉｖａｔｅｄ}から構成される２つ状態が存在することができる。
【０１３０】
状態(Ｓｔａｔｅ)を表現する変数として、ＣＲＥ_ｓｔａｔｕｓを使用するがＣＲＥ非活性(ＣＲＥｄｅａｃｔｉｖａｔｅｄ)状態であればＣＲＥ_ｓｔａｔｕｓ値が０であり、反対にＣＲＥ活性(ＣＲＥａｃｔｉｖａｔｅｄ)状態であればＣＲＥ_ｓｔａｔｕｓ値が１である。
【０１３１】
最初にｅＩＣＩＣ ＯＮ、ＣＲＥ ＯＮをすると、ＣＲＥ非活性(ＣＲＥ ｄｅａｃｔｉｖａｔｅｄ)状態で開始することができる。
【０１３２】
ＣＲＥ非活性(ｄｅａｃｔｉｖａｔｅｄ)状態からＣＲＥ活性(ａｃｔｉｖａｔｅｄ)状態に遷移されるためには以下の条件を同時に満足しなければならない。
１．ｅＩＣＩＣ ＯＮ、ＣＲＥ ＯＮ
２．ＣＲＥ_ｓｔａｔｕｓ＝０
３．マクロセルのロード(ｌｏａｄ)が特定値より同一又は大きくなければならない。
４．マクロセルのロード(ｌｏａｄ)のうちのオフロード(ｏｆｆｌｏａｄ)可能ＵＥが占めるロード(ｌｏａｄ)の割合が特定値より同一又は大きくなければならない。
【０１３３】
前記条件中、オフロード(ｏｆｆｌｏａｄ)可能ＵＥとは、現在ロード(ｌｏａｄ)が特定値より低いピコセルにより、マクロＣＲＥ ＵＥでトリガリングされたＵＥを意味する。
ただ、前記最後の条件は下記のように取り替えられることもできる。
−マクロセルの全体ＵＥのうちのｏｆｆｌｏａｄ可能ＵＥの割合が特定値より同一又は大きくなければならない。
【０１３４】
一方、ＣＲＥ非活性(ｄｅａｃｔｉｖａｔｅｄ)状態からＣＲＥ活性(ａｃｔｉｖａｔｅｄ)状態に遷移する時は以下のような動作を行う。
１．ＣＲＥ_ｓｔａｔｕｓ＝１
２．ｅＩＣＩＣＣＩＯ(ｐｉｃｏ)＝ＭＲＯＣＩＯ(ｐｉｃｏ)、すべてのｅＩＣＩＣパートナーピコセルに対して実行
３．ＦｅＩＣＩＣＣＩＯ(ｐｉｃｏ)＝ＭＲＯＣＩＯ(ｐｉｃｏ)、すべてのｅＩＣＩＣパートナーピコセルに対して実行
４．ＡＢＳ割合を０より大きい最小値と設定
【０１３５】
一方、ＣＲＥ活性(ａｃｔｉｖａｔｅｄ)状態からＣＲＥ非活性(ｄｅａｃｔｉｖａｔｅｄ)状態になるためには以下の条件のうちのいずれか１つでも満足すれば良い。
１．ｅＩＣＩＣＯＦＦ
２．ＣＲＥＯＦＦ
３．(ＣＲＥ_ｓｔａｔｕｓ＝１)で、マクロセルのｌｏａｄが特定値より同一又は小さくなければならなく、ｅＩＣＩＣパートナーであるピコセルのｐｉｃｏＣＲＥ ＵＥが占めるｌｏａｄの合計が特定値より同一又は小さくなければならない。
【０１３６】
ただ、前記最後の条件は下記のように取り替えられることもできる。
【０１３７】
−(ＣＲＥ_ｓｔａｔｕｓ＝１)で、マクロセルのｌｏａｄが特定値より同一又は小さくなければならなく、ｅＩＣＩＣパートナーであるピコセルのｐｉｃｏＣＲＥ ＵＥが占めるｌｏａｄの合計をマクロセルのｌｏａｄで割った値が特定値より同一又は小さくなければならない。
【０１３８】
又は、前記最後の条件は下記のように取り替えられることもできる。
【０１３９】
−(ＣＲＥ_ｓｔａｔｕｓ＝１)で、マクロセルのｌｏａｄが特定値より同一又は小さくなければならなく、ｅＩＣＩＣパートナーであるピコセルのｐｉｃｏＣＲＥ ＵＥが占めるｌｏａｄの合計をマクロセルとピコセルのｌｏａｄの合計で割った値が特定値より同一又は小さくなければならない。
【０１４０】
そして、ＣＲＥ活性(ａｃｔｉｖａｔｅｄ)状態からＣＲＥ非活性(ｄｅａｃｔｉｖａｔｅｄ)状態に遷移する時は以下のような動作を行う。
１．ＣＲＥ_ｓｔａｔｕｓ＝０
２．ｅＩＣＩＣＣＩＯ(ｐｉｃｏ)＝ＭＲＯＣＩＯ(ｐｉｃｏ)、すべてのｅＩＣＩＣパートナーピコセルに対して実行
３．ＦｅＩＣＩＣＣＩＯ(ｐｉｃｏ)＝ＭＲＯＣＩＯ(ｐｉｃｏ)、すべてのｅＩＣＩＣパートナーピコセルに対して実行
【０１４１】
図９は、本発明の一実施形態によるマクロセル基地局の負荷分散判定部でｅＩＣＩＣパートナーピコセルで負荷分散可否を判定する基準を示す図面である。
【０１４２】
本動作は、特定時間周期又は非周期的(特定イベント発生時)に行われることができ、移動性ロードバランシング(Ｍｏｂｉｌｉｔｙ Ｌｏａｄ Ｂａｌａｎｃｉｎｇ、ＭＬＢ)ＯＮ又は{ｅＩＣＩＣ ＯＮ、ＣＲＥ ＯＮ}の場合に限り行われることができる。
【０１４３】
図９の図示によれば、マクロセルはマクロセルのロード(ｌｏａｄ)が特定値(ＴＨＭ２)より同一又は大きく、同時に特定ピコセルのロード(ｌｏａｄ)が特定値(ＴＨＰ２)より同一又は小さければ、当該ピコセルへの負荷分散が必要であると判定するようになる。
図１０は、ピコセル基地局の負荷分散判定部でマクロセルで負荷分散可否を判定する基準を示す図面である。
【０１４４】
本動作は、特定時間周期又は非周期的(特定イベント発生時)に行われることができ、移動性ロードバランシング(Ｍｏｂｉｌｉｔｙ Ｌｏａｄ Ｂａｌａｎｃｉｎｇ、ＭＬＢ)又は{ｅＩＣＩＣ ＯＮ、ＣＲＥ ＯＮ}の場合に限り行われることができる。
【０１４５】
図１０の図示によれば、ピコセルはピコセルのロードが特定値(ＴＨＰ３)より同一又は大きく、同時にマクロセルのロード(ｌｏａｄ)が特定値(ＴＨＭ３)より同一又は小さければ、当該マクロセルへの負荷分散が必要であると判定するようになる。
【０１４６】
図１１は、本発明の実施形態によるマクロセル基地局及びピコセル基地局が負荷分散を行う動作を示すフローチャートである。具体的に図１１はマクロセル基地局及びピコセル基地局の負荷分散実行部が行う動作手順であることができる。
【０１４７】
図１１を参照すれば、マクロセル基地局とピコセル基地局の負荷分散実行部によって行われる動作のシーケンスが説明される。以下ではマクロセル基地局及びピコセル基地局の負荷分散実行部が図１１の動作を行うことを記述するが、必ずここに限定されるものではない。
【０１４８】
図９で上述したことによって、マクロセル基地局の負荷分散判定部がｅＩＣＩＣパートナーピコセルへの負荷分散が必要であると判定することができる。前記のように、マクロセル基地局の負荷分散判定部はマクロセルのロード(ｌｏａｄ)が特定値(ＴＨＭ２)より同一又は大きく、同時に特定ピコセルのロード(ｌｏａｄ)が特定値(ＴＨＰ２)より同一又は小さければ、当該ピコセルへの負荷分散が必要であると判定することができる。
【０１４９】
すると、負荷分散実行部は図１１に図示される負荷分散実行手続きによりマクロセルの負荷をピコセルで分散させることができる。
【０１５０】
このために、負荷分散実行部はＳ１１０５段階で、移動性ロードバランシング(ＭｏｂｉｌｉｔｙＬｏａｄＢａｌａｎｃｉｎｇ、ＭＬＢ)機能が活性化(ＯＮ)されたか否かを確認する。ＭＬＢ機能が活性化された場合には、負荷分散実行部はＳ１１１０段階で、マクロセルの一つ以上のＵＥに特定条件を満足する場合に限ってサービングセルを含む周辺セルに対するＲＳＲＰ情報を報告するように測定報告(Ｍｅａｓｕｒｅｍｅｎｔ Ｒｅｐｏｒｔ、ＭＲ)をリクエストすることができる。
【０１５１】
マクロセル基地局がＭＲ報告をリクエストするＵＥを選定する方法及びＭＲを報告するための条件に対しては図１２で具体的に説明する。
【０１５２】
負荷分散実行部はＳ１１１５段階で、特定時間の間のＭＲが報告されるか待機した後、ＵＥがＭＲリクエストのための条件を満足するかを決定する。もし、ＵＥがＳ１１１５段階でＭＲリクエストのための条件を満足すると、Ｓ１１２０段階で、ＭＲ報告をした全体ＵＥ又は一部ＵＥに対してＦｏｒｃｅｄｈａｎｄｏｖｅｒ(Ｆｏｒｃｅｄ ＨＯ、強制ｈａｎｄｏｖｅｒ)を行う。前記強制ハンドオーバーは、現在マクロセル基地局をサービングセルとするＵＥをｅＩＣＩＣパートナーであるピコセル基地局でハンドオーバーさせる過程を意味することができる。そして、負荷分散実行部はカウント情報(ＣＮＴ)を０と初期化した後、本手続きを締め切る。
【０１５３】
もし、Ｓ１１０５段階でＭＬＢＯＮではないか、又はＳ１１１０段階でＭＲリクエストのための条件を満足するＵＥがないか、もしくはＳ１１１５段階で特定時間の間ＭＲ報告が１件も報告されない場合であれば、負荷分散実行部はＳ１１２５段階へ進行する。
【０１５４】
負荷分散実行部はＳ１１２５段階で、ｅＩＣＩＣ機能がＯＮ状態で同時にＣＲＥ活性化(ａｃｔｉｖａｔｅｄ)状態であるか否かを判定する。もし、ｅＩＣＩＣ機能がＯＮ状態で同時にＣＲＥ活性化(ａｃｔｉｖａｔｅｄ)状態であれば、負荷分散実行部はＳ１１３０段階でＣＮＴ値を１ほど増加させる。
【０１５５】
そして、負荷分散実行部はＳ１１３５段階へ進行し、ＣＮＴ値が予め設定された基準値より同一又は大きいか否かを判定する。ＣＮＴ値が予め設定された基準値より同一又は大きい場合、負荷分散実行部はハンドオーバートリガーをマクロセルの方で一段階移動させる。これは強制ハンドオーバーを行うための対象ＵＥを選定するにおいて、予備領域をマクロセルの方に移動させて、たとえマクロセルに接したＵＥでもピコセルの方でハンドオーバーさせるということを意味することができる。ハンドオーバートリガーをマクロセルの方で一段階移動させる方法は図１４で具体的に説明する。
【０１５６】
同時に、負荷分散実行部はＣＮＴ値を０と初期化することができる。
【０１５７】
一方、ｅＩＣＩＣ ＯＮではないか ＣＲＥ非活性(ｄｅａｃｔｉｖａｔｅｄ)状態であるかＣＮＴ値が特定値より小さい場合にはそのまま本手続きを締め切る。
【０１５８】
一方、図１０の条件によりピコセル基地局の負荷分散判定部がｅＩＣＩＣパートナーマクロセルへの負荷分散が必要であると判定する場合にも前記の図１１の手続きが同様の原理により適用されることができる。
【０１５９】
簡略に説明すれば、ピコセル基地局の負荷分散実行部はＳ１１０５段階で、移動性ロードバランシング(Ｍｏｂｉｌｉｔｙ Ｌｏａｄ Ｂａｌａｎｃｉｎｇ、ＭＬＢ)機能が活性化(ＯＮ)されたか否かを確認する。ＭＬＢ機能が活性化された場合には、負荷分散実行部はＳ１１１０段階で、ピコセルの一つ以上のＵＥに特定条件を満足する場合に限ってサービングセルを含む周辺セルに対するＲＳＲＰ情報を報告するように測定報告(ＭｅａｓｕｒｅｍｅｎｔＲｅｐｏｒｔ、ＭＲ)をリクエストすることができる。
【０１６０】
ピコセル基地局がＭＲ報告をリクエストするＵＥを選定する方法及びＭＲを報告するための条件に対しては図１３で具体的に説明する。
【０１６１】
負荷分散実行部はＳ１１１５段階で、特定時間の間のＭＲが報告されるか待機した後、Ｓ１１２０段階で、ＭＲ報告をした全体ＵＥ又は一部ＵＥに対してＦｏｒｃｅｄ ｈａｎｄｏｖｅｒ(Ｆｏｒｃｅｄ ＨＯ、強制ｈａｎｄｏｖｅｒ)を行う。前記強制ハンドオーバーは、現在ピコセル基地局をサービングセルとするＵＥをｅＩＣＩＣパートナーであるマクロセル基地局でハンドオーバーさせる過程を意味することができる。そして、負荷分散実行部はカウント情報(ＣＮＴ)を０と初期化した後、本手続きを締め切る。
【０１６２】
もし、Ｓ１１０５段階でＭＬＢＯＮではないか、又はＳ１１１０段階でＭＲリクエストのための条件を満足するＵＥがないか、もしくはＳ１１１５段階で特定時間の間のＭＲ報告が１件も報告されない場合であれば、負荷分散実行部はＳ１１２５段階へ進行する。
【０１６３】
負荷分散実行部はＳ１１２５段階で、ｅＩＣＩＣ機能がＯＮ状態で同時にＣＲＥ活性化(ａｃｔｉｖａｔｅｄ)状態であるか否かを判定する。もし、ｅＩＣＩＣ機能がＯＮ状態で同時にＣＲＥ活性化(ａｃｔｉｖａｔｅｄ)状態であれば、負荷分散実行部はＳ１１３０段階でＣＮＴ値を１ほど増加させる。
【０１６４】
そして、負荷分散実行部はＳ１１３５段階へ進行し、ＣＮＴ値が予め設定された基準値より同一又は大きいか否かを判定する。ＣＮＴ値が予め設定された基準値より同一又は大きい場合、負荷分散実行部はハンドオーバートリガーをピコセルの方で一段階移動させる。これは強制ハンドオーバーを行うための対象ＵＥを選定するにおいて、予備領域をピコセルの方に移動させて、たとえピコセルに接したＵＥでもマクロセルの方でハンドオーバーさせるということを意味することができる。ハンドオーバートリガーをマクロセルの方で一段階移動させる方法は図１５で具体的に説明する。
【０１６５】
同時に、負荷分散実行部はＣＮＴ値を０と初期化することができる。
【０１６６】
一方、ｅＩＣＩＣ ＯＮではないか、又はＣＲＥ非活性(ｄｅａｃｔｉｖａｔｅｄ)状態であるかＣＮＴ値が特定値より小さい場合にはそのまま本手続きを締め切る。
【０１６７】
図１２は、本発明の実施形態によるマクロセル基地局がＦｏｒｃｅｄ ＨＯ対象ＵＥを選定する方法を示すフローチャートである。
【０１６８】
本発明の一実施形態によれば、図１２に示された手続きはマクロセルの負荷分散実行部が行うことができる。
【０１６９】
図１２に対して説明すれば、例えばマクロセルのＵＥのうちで一定距離をｅＩＣＩＣパートナーピコセルの方に移動すると、ピコセルでハンドオーバー行われる領域に位置したＵＥを強制ハンドオーバー(Ｆｏｒｃｅｄ ＨＯ)対象ＵＥと決定することができる。
【０１７０】
ｅＩＣＩＣ ＯＮで同時にＣＲＥ ＯＮである場合に対して説明する。
【０１７１】
ｅＩＣＩＣ ＯＮで同時にＣＲＥ ＯＮである場合、図１２に示された領域のようにＦｏｒｃｅｄ ＨＯ対象ＵＥが位置する領域を決定することができる。
【０１７２】
例えば、レガシー(Ｌｅｇａｃｙ)ＵＥ１２１０の場合にはいずれもマクロｎｏｎ−ＣＲＥ ＵＥであるので、負荷分散実行部４５０はマクロｎｏｎ−ＣＲＥ ＵＥであるレガシーＵＥ全体又はその中のサンプリング(ｓａｍｐｌｉｎｇ)された一部ＵＥに対してＡ３イベントを設定することができる。この場合、負荷分散実行部はＣＩＯ(ｃｅｌｌ ｉｎｄｉｖｉｄｕａｌ ｏｆｆｓｅｔ)値は既存のＭＲＯＣＩＯをそのまま維持させてＡ３オフセット(ｏｆｆｓｅｔ)を０ｄＢと設定することができる。
【０１７３】
また、ｅＩＣＩＣ ＵＥ１２２０は、図１２に示された領域のＵＥがいずれもマクロＣＲＥ ＵＥの部分集合であるので、負荷分散実行部はマクロＣＲＥ ＵＥであるｅＩＣＩＣ ＵＥに限り前記マクロＣＲＥ ＵＥ全体又はその中のサンプリングされた一部ＵＥに対してＡ３イベントを設定することができる。この場合、負荷分散実行部は既存のｅＩＣＩＣＣＩＯをそのまま維持させてＡ３オフセットを０ｄＢと設定することができる。
【０１７４】
そして、ＦｅＩＣＩＣ ＵＥ１２３０は、図１２に示された領域のＵＥがいずれもマクロＣＲＥ ＵＥの部分集合であるので、負荷分散実行部はマクロＣＲＥ ＵＥであるＦｅＩＣＩＣ ＵＥに限り、全体マクロＣＲＥ ＵＥであるＦｅＩＣＩＣ ＵＥ又はその中のサンプリングされた一部ＵＥに対してＡ３イベントを設定することができる。この場合、負荷分散実行部４５０は既存のＦｅＩＣＩＣＣＩＯをそのまま維持させてＡ３オフセットを０ｄＢと設定することができる。
【０１７５】
もし、ｅＩＣＩＣ ＯＦＦであるかＣＲＥ ＯＦＦである場合にはｌｅｇａｃｙＵＥ１２１０、ｅＩＣＩＣ ＵＥ１２２０、ＦｅＩＣＩＣ ＵＥ１２３０にかかわらず全体ＵＥ又はその中のサンプリングされた一部ＵＥに対してＡ３イベントを設定するが、ＣＩＯ値を既存のＭＲＯＣＩＯをそのまま維持させてＡ３オフセットを０ｄＢと設定することができる。  
【０１７６】
マクロセル基地局は、前記図１２で図示及び説明されたように、ＵＥにＡ３イベント(ｅｖｅｎｔ)を設定した後、一定時間の間のＭＲ報告を待機することができる。ＵＥから報告されたＭＲが設定された個数を超過する場合にはその中の一部ＵＥを選択して強制ハンドオーバー(Ｆｏｒｃｅｄ ＨＯ)を行う必要がある。
【０１７７】
このために、マクロセル基地局は先ず負荷を分散させようとするピコセルのＲＳＲＰより、サービングマクロセルを除いた他のセルのＲＳＲＰがより大きいＵＥはＦｏｒｃｅｄ ＨＯ対象ＵＥから排除させる。そして、マクロセル基地局は残ったＵＥの中で(Ｐｉｃｏ ＲＳＲＰ−マクロＲＳＲＰ)値が最も大きいＵＥを先ず強制ハンドオーバー対象ＵＥと選択することができる。もし、前記ＲＳＲＰ値の差が同じなＵＥが存在すると、ＦｅＩＣＩＣ ＵＥ、ｅＩＣＩＣ ＵＥ、ｌｅｇａｃｙＵＥ順序で強制ハンドオーバーするＵＥを選択することができる。
図１３は、ピコセル基地局が強制ハンドオーバー対象端末を選定する過程を示すフローチャートである。
本発明の一実施形態によれば、図１３に示された手続きはピコセルの負荷分散実行部が行うことができる。
【０１７８】
図１３に対して説明すれば、例えば、ピコセルのＵＥのうちで一定距離をｅＩＣＩＣパートナーマクロセルの方に移動すると、マクロセルでハンドオーバー行われる領域に位置したＵＥを強制ハンドオーバー(Ｆｏｒｃｅｄ ＨＯ)対象ＵＥと決定することができる。
ｅＩＣＩＣ ＯＮで同時にＣＲＥ ＯＮである場合に対して先ずに説明する。
【０１７９】
ｅＩＣＩＣ ＯＮで同時にＣＲＥ ＯＮであり、同時に(ｅＩＣＩＣＣＩＯ≧ＭＲＯＣＩＯ＋Δ)条件が満足されるほどピコセルのカバレッジが拡張された場合には、負荷分散実行部は図１３で示された領域のように強制ハンドオーバー対象ＵＥが位置する領域を決定することができる。
【０１８０】
例えば、レガシー(Ｌｅｇａｃｙ)ＵＥ１３１０の場合にはいずれもピコｎｏｎ−ＣＲＥ ＵＥであるのでピコｎｏｎ−ＣＲＥ ＵＥであるレガシーＵＥ全体、又はその中のサンプリングされた一部ＵＥに対してＡ３イベントを設定することができる。この場合、負荷分散実行部はＣＩＯ値を既存の−ＭＲＯＣＩＯをそのまま維持させてＡ３オフセットを０ｄＢと設定することができる。
【０１８１】
ｅＩＣＩＣ ＵＥ１３２０は、図１３の表示された領域のＵＥがいずれもピコＣＲＥ ＵＥの部分集合であるので、負荷分散実行部はピコＣＲＥ ＵＥであるｅＩＣＩＣ ＵＥに限り、全体ピコＣＲＥ ＵＥ又はその中のサンプリングされた一部ＵＥに対してＡ３イベントを設定することができる。この場合、負荷分散実行部はＣＩＯ値を既存の−ｅＩＣＩＣＣＩＯをそのまま維持させてＡ３オフセットを０ｄＢと設定することができる。
【０１８２】
ＦｅＩＣＩＣ ＵＥ１３３０は図１３に示された領域のＵＥがいずれもピコＣＲＥ ＵＥの部分集合であるので、負荷分散実行部はピコＣＲＥ ＵＥであるＦｅＩＣＩＣ ＵＥに限り、ピコＣＲＥ ＵＥ全体又はその中のサンプリングされた一部ＵＥに対してＡ３イベントを設定することができる。この場合、負荷分散実行部はＣＩＯ値を既存の−ＦｅＩＣＩＣＣＩＯをそのまま維持させてＡ３オフセットを０ｄＢと設定することができる。
【０１８３】
もし、ｅＩＣＩＣＯＦＦであるかＣＲＥＯＦＦである場合にはｌｅｇａｃｙＵＥ、ｅＩＣＩＣ ＵＥ、ＦｅＩＣＩＣ ＵＥに関係なく、全体ＵＥ又はその中のサンプリングされた一部ＵＥに対してＡ３イベントを設定することができる。
この時、負荷分散実行部はレガシーＵＥはＣＩＯ値を既存の−ＭＲＯＣＩＯをそのまま維持させてＡ３オフセットを０ｄＢと設定することができる。
【０１８４】
さらに、負荷分散実行部はｅＩＣＩＣ ＵＥのためのＩＯ値を既存の−ｅＩＣＩＣＩＣＩＯをそのまま維持させてＡ３オフセットを０ｄＢと設定することができる。
【０１８５】
そして、負荷分散実行部はＦｅＩＣＩＣ ＵＥのためのＣＩＯ値を既存の−ＦｅＩＣＩＣＣＩＯをそのまま維持させてＡ３オフセットを０ｄＢと設定することができる。
【０１８６】
ピコセル基地局は前記のようににＵＥにＡ３イベントを設定した後、一定時間の間のＭＲ報告を待機することができる。ＵＥから報告されたＭＲが設定された個数を超過する場合にはその中の一部ＵＥを選択して強制ハンドオーバー(Ｆｏｒｃｅｄ ＨＯ)を行う必要がある。
【０１８７】
このために、ピコセル基地局はＭＲ報告をしたＵＥのうちで(マクロＲＳＲＰ−ピコＲＳＲＰ)値に基づいた最も大きい品質を有するＵＥを先ず選択するようにするが、前記ＲＳＲＰ値差が同じＵＥのうちではｌｅｇａｃｙＵＥ、ｅＩＣＩＣ ＵＥ、ＦｅＩＣＩＣ ＵＥ順で選択することができる。
【０１８８】
図１４は、マクロセル基地局でｅＩＣＩＣパートナーピコセルに対するハンドオーバートリガー(ｈａｎｄｏｖｅｒ ｔｒｉｇｇｅｒ)をマクロセルの方に移動させてピコセルのカバレッジ(ｃｏｖｅｒａｇｅ)を拡張させる方法を示すフローチャートである。
【０１８９】
本発明の実施形態によるハンドオーバートリガーは、マクロセル基地局からピコセル基地局に、又はピコセル基地局からマクロセル基地局にハンドオーバーを行う基準線を意味することができる。
【０１９０】
図１４に示された手続きはマクロセル基地局の負荷分散実行部で行われることができる。
【０１９１】
図１４で示された増加値(又は、ｄｅｌｔａ)はＣＩＯを調節することができる基本単位を意味することができる。前記ｄｅｌｔａは３ＧＰＰＬＴＥ標準によって定められる値であることもできて、運用者によって変更されることもできる値である。
【０１９２】
負荷分散実行部はＳ１４１０段階で、(ｅＩＣＩＣＣＩＯ＋Δ ＋ｄｅｌｔａ≦ｅＩＣＩＣ_Ｂ)を満足するほどピコセルが充分に拡張されない状態であるか否かを判定する。前記ｅＩＣＩＣＣＩＯはｅＩＣＩＣ端末に設定されるＣＩＯ値を意味し、ｅＩＣＩＣ_ＢはｅＩＣＩＣ ＵＥがピコセルでハンドオーバーできる限界線を意味することができる。
【０１９３】
もし、ｅＩＣＩＣＣＩＯ＋Δ＋ｄｅｌｔａ≦ｅＩＣＩＣ_Ｂの条件を満足する場合であれば、負荷分散実行部はＳ１４２０段階へ進行し、ｅＩＣＩＣＣＩＯとＦｅＩＣＩＣＣＩＯにそれぞれｄｅｌｔａほどずつ加える。前記ＦｅＩＣＩＣＣＩＯはＦｅＩＣＩＣ端末に設定されるＣＩＯ値を意味することができる。識別記号１４２１を参考すれば、ｅＩＣＩＣＣＩＯとＦｅＩＣＩＣＣＩＯは同じｄｅｌｔａ値ほど動くことを確認することができる。
【０１９４】
一方、Ｓ１４１０段階で、当該条件を満足しなければ、負荷分散実行部はＳ１４３０段階へ進行し、(ＦｅＩＣＩＣＣＩＯ＋Δ ＋ｄｅｌｔａ≦ＦｅＩＣＩＣ_Ｂ)を満足するか否かを判定する。(ｅＩＣＩＣＣＩＯ＋Δ＋ｄｅｌｔａ≦ｅＩＣＩＣ_Ｂ)を満足しないが、(ＦｅＩＣＩＣＣＩＯ＋Δ ＋ｄｅｌｔａ≦ＦｅＩＣＩＣ_Ｂ)を満足するということは、ｅＩＣＩＣＣＩＯはこれ以上大きくなってはいけないがＦｅＩＣＩＣＣＩＯは更に大きくなることができるという意味となることができる。すなわち、ＦｅＩＣＩＣ ＵＥの場合、マクロセルからのＣＲＳを除去することができる機能を備えるから、ｅＩＣＩＣ端末に比べてよりマクロセルに接しても(例えば、ハンドオーバートリガーがマクロセルに接しても)ピコセルでハンドオーバーさせること可能なことである。これにより、負荷分散実行部はＳ１４４０段階へ進行し、ｅＩＣＩＣＣＩＯ値はそのまま置いて、ＦｅＩＣＩＣＣＩＯにだけｄｅｌｔａを加える。Ｓ１４２０段階でのｄｅｌｔａと、Ｓ１４４０段階でのｄｅｌｔａは同一又は相違することもできる。識別記号１４２２を参考すれば、ｅＩＣＩＣＣＩＯは動かず、ＦｅＩＣＩＣＣＩＯの場合にだけｄｅｌｔａほどマクロセル基地局の方に移動したことを確認することができる。
【０１９５】
一方、前記のＳ１４１０及びＳ１４３０段階で提示された条件をいずれも満足しない場合はこれ以上ピコセルカバレッジを拡張させることができない状況である。
【０１９６】
この場合、負荷分散実行部はＳ１４５０段階へ進行し、ｅＩＣＩＣＣＩＯとＦｅＩＣＩＣＣＩＯを変更しないこともある。
【０１９７】
図１５は、ピコセル基地局でｅＩＣＩＣパートナーマクロセルに対するハンドオーバートリガー(ｈａｎｄｏｖｅｒ ｔｒｉｇｇｅｒ)をピコセルの方に移動させてピコセルのカバレッジ(ｃｏｖｅｒａｇｅ)を減少させる方法を示すフローチャートである。
【０１９８】
図１５に示された手続きはピコセル基地局の負荷分散実行部で行われることができる。
【０１９９】
図１５に示された増加値(ｄｅｌｔａ)はＣＩＯを調節することができる基本単位を意味することができる。前記ｄｅｌｔａは、３ＧＰＰ ＬＴＥ標準によって定められる値であることもでき、運用者によって変更されることもできる値である。
【０２００】
負荷分散実行部は、Ｓ１５１０段階で(ＦｅＩＣＩＣＣＩＯ＋Δ −ｄｅｌｔａ≧ｅＩＣＩＣ_Ｂ)を満足するほどピコセルが充分に拡張されている状態であるか否かを判定することができる。  
【０２０１】
もし、(ＦｅＩＣＩＣＣＩＯ＋Δ −ｄｅｌｔａ≧ｅＩＣＩＣ_Ｂ)の条件を満足する場合であれば、負荷分散実行部はＳ１５２０段階へ進行してｅＩＣＩＣＣＩＯはそのまま置いてＦｅＩＣＩＣにだけｄｅｌｔａを抜く。識別記号１５２１を参考すれば、ＦｅＩＣＩＣＣＩＯの値だけｄｅｌｔａほどピコセル基地局方向に動くことを確認することができる。
【０２０２】
一方、前記条件を満足しない場合、負荷分散実行部はＳ１５３０段階へ進行して(ｅＩＣＩＣＣＩＯ−ｄｅｌｔａ≧ＭＲＯＣＩＯ)を満足するか否かを判定する。(ＦｅＩＣＩＣＣＩＯ＋Δ −ｄｅｌｔａ≧ｅＩＣＩＣ_Ｂ)の条件を満足しないのに、(ｅＩＣＩＣＣＩＯ−ｄｅｌｔａ≧ＭＲＯＣＩＯ)を満足する場合にはｅＩＣＩＣＣＩＯとＦｅＩＣＩＣＣＩＯが同様にピコセル基地局のカバレッジを更に縮小することができる状況であることを意味することができる。これにより、負荷分散実行部はＳ１５４０段階へ進行してｅＩＣＩＣＣＩＯとＦｅＩＣＩＣＣＩＯにそれぞれｄｅｌｔａほどずつ抜く。識別記号１５２２を参考すれば、ｅＩＣＩＣＣＩＯとＦｅＩＣＩＣＣＩＯの値のいずれもｄｅｌｔａほどピコセル基地局方向に動くことを確認することができる。
【０２０３】
そして、Ｓ１５１０段階及びＳ１５３０段階で提示された２つの条件をいずれも満足しない場合であれば、これ以上ピコセル基地局のカバレッジを縮小させることができない状況を意味することができる。これにより、負荷分散実行部はＳ１５５０段階へ進行し、ｅＩＣＩＣＣＩＯとＦｅＩＣＩＣＣＩＯを変更しないこともある。
【０２０４】
図１６は、本発明の実施形態による各タイプ端末に対してそれぞれグループ別で位置することができる領域を示す図面である。
【０２０５】
前記グループとは、マクロｎｏｎ−ＣＲＥ ＵＥ、マクロＣＲＥ ＵＥ、ピコｎｏｎ−ＣＲＥ ＵＥ、ピコＣＲＥ ＵＥの４つのグループを意味する。前記各グループに対する定義は、図２で記述した事があるので、詳しい説明は省略する。
【０２０６】
マクロＣＲＥ ＵＥカバレッジ領域１６１０とピコＣＲＥ ＵＥカバレッジ領域１６２０が重ねた領域が予備領域(ＣＲＥ領域)に該当する。
【０２０７】
図１６に示されたように、ｅＩＣＩＣ ＵＥ１６０２の場合には前記予備領域の基準線を意味するｅＩＣＩＣＣＩＯ１６３０が移動するによって可変予備領域を有するようになる。
【０２０８】
また、ＦｅＩＣＩＣ ＵＥ１６０３の場合には前記予備領域の基準線を意味するＦｅＩＣＩＣＣＩＯ１６４０が移動することによって可変予備領域を有するようになる。
【０２０９】
図１６で、ＦｅＩＣＩＣ ＵＥ１６０３に対するＦｅＩＣＩＣＣＩＯ１６４０の移動範囲が、ｅＩＣＩＣ ＵＥ１６０２に対するｅＩＣＩＣＣＩＯ１６３０の移動範囲より広いことを確認することができる。すなわち、ＦｅＩＣＩＣ ＵＥ１６０３はマクロセル基地局から送信されるＣＲＳを除去することができる機能を備え、ｅＩＣＩＣ ＵＥ１６０２に比べて、より広い予備領域を備えることができることである。
【０２１０】
図１７は、本発明の実施形態による端末の内部構造を示すブロック図である。図１７に示されたように、本発明の端末は送受信部１７１０と制御部１７２０を含むことができる。
【０２１１】
送受信部１７１０は基地局と無線チャンネルを形成して信号を送受信することができる。
【０２１２】
制御部１７２０とは端末が本発明の実施形態により動作するように各ブロック間の信号流れを制御する。
【０２１３】
制御部１７２０はマクロ基地局又は小型基地局から測定報告設定メッセージを受信するように制御することができる。この場合、前記測定報告設定メッセージは第１基地局が端末の予備領域への進入又は離脱を検出するように、前記第１基地局により設定されることができる。次いで、制御部１７２０は前記測定報告設定メッセージの設定によって測定を行った後、測定結果を前記マクロ基地局又は小型基地局で測定報告を送信するように制御することができる。
【０２１４】
すると、第１基地局は端末から受信した測定報告設定メッセージにより、前記端末が予備領域へ進入又は離脱したのか検出することができる。
【０２１５】
上述した本発明の実施形態によれば、マクロ基地局と小型基地局が混在された異種網移動通信システムにおいてセル間の負荷分散方法及びセル間の干渉調整方法を提供し、網の無線リソース効率を増大させることができる。さらに発明によれば、セル間の負荷分散方法及びセル間の干渉調整方法を提供するにあたり網の負荷分散状態を適応的に反映することができる。
【０２１６】
本明細書及び図面に開示された本発明の実施形態は本発明の記述内容を容易に説明して発明の理解を助けるために特定例を提示したものであって、本発明の範囲を限定しようとするものではない。ここに開示された実施形態以外にも本発明の技術的思想に基づいた他の変形例が実施可能であるということは本発明が属する技術分野で通常の知識を有する者に自明なものである。
【符号の説明】
【０２１７】
４１０  管理部
４２０  負荷計算部
４３０  負荷情報管理部
４４０  負荷分散判定部
４５０  負荷分散実行部
４６０  割合決定部
４７０  パターン生成部
４８０  無線リソース割り当て部
５１０  管理部
５２０  負荷計算部
５３０  負荷情報管理部
５４０  負荷分散判定部
５５０  負荷分散実行部
５６０  無線リソース割り当て部
１７１０  送受信部
１７２０  制御部
【図１】
0006736483.tif 000002
【図２】
0006736483.tif 000003
【図３】
0006736483.tif 000004
【図４】
0006736483.tif 000005
【図５】
0006736483.tif 000006
【図６ａ】
0006736483.tif 000007
【図６ｂ】
0006736483.tif 000008
【図７ａ】
0006736483.tif 000009
【図７ｂ】
0006736483.tif 000010
【図８】
0006736483.tif 000011
【図９】
0006736483.tif 000012
【図１０】
0006736483.tif 000013
【図１１】
0006736483.tif 000014
【図１２】
0006736483.tif 000015
【図１３】
0006736483.tif 000016
【図１４】
0006736483.tif 000017
【図１５】
0006736483.tif 000018
【図１６】
0006736483.tif 000019
【図１７】
0006736483.tif 000020